【事件の表示】
　特許第６０７９２０５号発明「画像形成システム，画像形成装置，およびサーバ」の特許異議申立事件について、次のとおり決定する。
【結　論】
　特許第６０７９２０５号の特許請求の範囲を訂正請求書に添付された特許請求の範囲のとおり、訂正後の請求項〔１〜１５、１８〜２４〕、１６、１７について訂正することを認める。
　特許第６０７９２０５号の請求項９〜２４に係る特許を維持する。
　特許第６０７９２０５号の請求項１〜８に係る特許についての特許異議の申立てを却下する。
【理　由】
第１　手続の経緯
　特許第６０７９２０５号（以下、「本件特許」という。）の請求項１〜１７に係る特許についての出願は、平成２４年１２月１８日に特許出願され、平成２９年１月２７日付けでその特許権の設定登録（特許公報発行日平成２９年２月１５日）がされた。
　その特許について、平成２９年８月１０日に特許異議申立人小林幸男より特許異議の申立てがされた。
　その後の手続の経緯は以下のとおりである。
　平成２９年１０月２７日　取消理由通知（起案日）
　平成２９年１２月２６日　意見書の提出及び訂正の請求（特許権者）
　平成３０年　３月２２日　意見書の提出（特許異議申立人）
第２　訂正の適否
１．訂正請求の趣旨
　特許権者による平成２９年１２月２６日の訂正請求（以下、「本件訂正請求」という。）の趣旨は、「特許第６０７９２０５号の明細書、特許請求の範囲を本件請求書に添付した訂正特許請求の範囲のとおり、訂正後の請求項１〜２４について訂正することを求める。」というものである。
２．訂正の内容
　本件訂正請求による訂正の内容は、以下のとおりである。
２．１　請求項１〜１５からなる一群の請求項に係る訂正
（１）訂正事項１
　特許請求の範囲の請求項９に「請求項１から請求項８のいずれか１つに記載する画像形成システムにおいて、前記サーバは、前記決定部を備え、前記画像形成装置は、前記印刷設定を含む前記特有情報を前記サーバに送信し、前記サーバは、前記画像形成装置から送信された前記特有情報に基づいて、前記決定部にて前記変換条件を決定する、ことを特徴とする画像形成システム。」と記載されているのを、
　「画像形成装置と、前記画像形成装置と通信を行うサーバとを備える画像形成システムにおいて、前記画像形成装置は、前記サーバに記憶されている画像データのうち、印刷対象の画像データの選択を受け付ける選択部と、前記選択部によって選択された画像データの送信を前記サーバに要求する要求部と、前記選択部によって選択された画像データの画像サイズを変換させる条件である変換条件に従って前記サーバによって変換された画像データである変換データを、前記サーバから受信する受信部と、前記受信部にて受信した変換データを記憶する記憶部と、前記記憶部に記憶された変換データに基づいて印刷を行う印刷部と、印刷設定を入力する入力部と、を備え、前記印刷設定を含む特有情報を前記サーバに送信し、前記サーバは、前記画像形成装置が有する前記特有情報であって、前記入力部によって入力された前記印刷設定が含まれる前記特有情報に基づいて、前記変換条件を決定する決定部と、前記要求部によって送信が要求された画像データを前記変換条件に従って変換し、当該画像データから画像サイズが変換された変換データを生成する生成部と、前記生成部が生成した変換データを、前記画像形成装置に送信する送信部と、を備える、ことを特徴とする画像形成システム。」に訂正する。
（２）訂正事項２
　特許請求の範囲の請求項１０に「請求項１から請求項９のいずれか１つに記載する画像形成システムにおいて、前記画像形成装置は、前記決定部を備え、前記入力部にて入力された前記印刷設定が含まれる前記特有情報に基づいて、前記決定部にて前記変換条件を決定し、決定した前記変換条件を前記サーバに送信する、ことを特徴とする画像形成システム。」と記載されているのを、
　「画像形成装置と、前記画像形成装置と通信を行うサーバとを備える画像形成システムにおいて、前記画像形成装置は、前記サーバに記憶されている画像データのうち、印刷対象の画像データの選択を受け付ける選択部と、前記選択部によって選択された画像データの送信を前記サーバに要求する要求部と、前記選択部によって選択された画像データの画像サイズを変換させる条件である変換条件に従って前記サーバによって変換された画像データである変換データを、前記サーバから受信する受信部と、前記受信部にて受信した変換データを記憶する記憶部と、前記記憶部に記憶された変換データに基づいて印刷を行う印刷部と、印刷設定を入力する入力部と、前記画像形成装置が有する特有情報であって、前記入力部によって入力された印刷設定が含まれる前記特有情報に基づいて、前記変換条件を決定する決定部と、を備え、決定した前記変換条件を前記サーバに送信し、前記サーバは、前記要求部によって送信が要求された画像データの画像サイズを前記変換条件に従って変換し、当該画像データから変換データを生成する生成部と、前記生成部が生成した変換データを、前記画像形成装置に送信する送信部と、を備える、ことを特徴とする画像形成システム。」に訂正する。
（３）訂正事項３
　特許請求の範囲の請求項１１に「請求項１から請求項１０までのいずれか１つに記載する画像形成システムにおいて、」と記載されているのを、「請求項９または請求項１０に記載する画像形成システムにおいて、」に訂正する。
（４）訂正事項４
　特許請求の範囲の請求項１２に「請求項１から請求項１１までのいずれか１つに記載する画像形成システムにおいて、」と記載されているのを、「請求項９から請求項１１までのいずれか１つに記載する画像形成システムにおいて、」に訂正する。
（５）訂正事項５
　特許請求の範囲の請求項１３に「請求項１から請求項１２までのいずれか１つに記載する画像形成システムにおいて、」と記載されているのを、「請求項９から請求項１２までのいずれか１つに記載する画像形成システムにおいて、」に訂正する。
（６）訂正事項６
　特許請求の範囲の請求項１４に「請求項１から請求項１３までのいずれか１つに記載する画像形成システムにおいて、」と記載されているのを、「請求項９から請求項１３までのいずれか１つに記載する画像形成システムにおいて、」に訂正する。
（７）訂正事項７
　特許請求の範囲の請求項１５に「請求項１から請求項１４までのいずれか１つに記載する画像形成システムにおいて、」と記載されているのを、「請求項９から請求項１４までのいずれか１つに記載する画像形成システムにおいて、」に訂正する。
（８）訂正事項８
　特許請求の範囲の請求項１を削除する。
（９）訂正事項９
　特許請求の範囲の請求項２を削除し、訂正後の請求項１８に改め、「請求項１に記載する画像形成システム」と記載されているのを、「請求項９から請求項１５までのいずれか１つに記載する画像形成システム」に訂正する。
（１０）訂正事項１０
　特許請求の範囲の請求項３を削除し、訂正後の請求項１９に改め、「請求項１または請求項２に記載する画像形成システム」と記載されているのを、「請求項９から請求項１５、請求項１８のいずれか１つに記載する画像形成システム」に訂正する。
（１１）訂正事項１１
　特許請求の範囲の請求項４を削除し、訂正後の請求項２０に改め、「請求項１から請求項３のいずれか１つに記載する画像形成システム」と記載されているのを、「請求項９から請求項１５、請求項１８、請求項１９のいずれか１つに記載する画像形成システム」に訂正する。
（１２）訂正事項１２
　特許請求の範囲の請求項５を削除し、訂正後の請求項２１に改め、「請求項１から請求項４のいずれか１つに記載する画像形成システム」と記載されているのを、「請求項９から請求項１５および請求項１８から請求項２０のいずれか１つに記載する画像形成システム」に訂正する。
（１３）訂正事項１３
　特許請求の範囲の請求項６を削除し、訂正後の請求項２２に改め、「請求項５に記載する画像形成システム」と記載されているのを、「請求項２１に記載する画像形成システム」に訂正する。
（１４）訂正事項１４
　特許請求の範囲の請求項７を削除し、訂正後の請求項２３として、「請求項５または請求項６に記載する画像形成システム」と記載されているのを、「請求項２１または請求項２２に記載する画像形成システム」に訂正する。
（１５）訂正事項１５
　特許請求の範囲の請求項８を削除し、訂正後の請求項２４に改め、「請求項１から請求項７のいずれか１つに記載する画像形成システム」と記載されているのを、「請求項９から請求項１５および請求項１８から請求項２３のいずれか１つに記載する画像形成システム」に訂正する。
２．２　請求項１６に係る訂正
（１）訂正事項１
　特許請求の範囲の請求項１６の「自装置が有する特有情報であって、前記入力部によって入力された印刷設定が含まれる前記特有情報に基づいて、前記サーバにて前記選択処理によって選択された画像データを変換させる条件である変換条件を決定する決定処理」を、「自装置が有する特有情報であって、前記入力部によって入力された印刷設定が含まれる前記特有情報に基づいて、前記サーバにて前記選択処理によって選択された画像データの画像サイズを変換させる条件である変換条件を決定する決定処理」に訂正する。
２．３　請求項１７に係る訂正
（１）訂正事項１
　特許請求の範囲の請求項１７の「前記取得処理にて取得された前記特有情報に基づいて、前記画像形成装置によって選択された画像データを変換する条件である変換条件を決定する決定処理」を、「前記取得処理にて取得された前記特有情報に基づいて、前記画像形成装置によって選択された画像データの画像サイズを変換する条件である変換条件を決定する決定処理」に訂正する。
３．訂正の適否の判断
　本件訂正請求による訂正の適否について検討する。以下、上記２．１（１）〜（１５）の訂正事項を「本件訂正１」〜「本件訂正１５」と、上記２．２（１）の訂正事項を「本件訂正１６」と、上記２．３（１）の訂正事項を「本件訂正１７」という。
３．１　訂正の目的について
（１）本件訂正１及び本件訂正２
ア　本件訂正１による訂正は、訂正前の請求項９について、請求項１の記載を引用する請求項９の記載を請求項１の記載を引用しない記載の訂正請求項９とするものである。また、本件訂正２による訂正は、訂正前の請求項１０について、請求項１の記載を引用する請求項の記載を請求項１の記載を引用しない記載の訂正請求項１０とするものである。
イ　加えて、本件訂正１による訂正は、訂正前の請求項９の受信部及び生成部における「画像データを」の記載を「画像データの画像サイズを」の記載の訂正請求項９とするものである。また、本件訂正２による訂正は、訂正前の請求項１０の受信部及び生成部における「画像データを」の記載を「画像データの画像サイズを」の記載の訂正請求項１０とするものである。
ウ　上記アの訂正は、多数項を引用している請求項の引用請求項数を減少するものであるから、特許請求の範囲の減縮に該当する。また、上記イの訂正は、「画像データ」を限定するものといえるから、特許請求の範囲の減縮に該当する。
　よって、本件訂正１及び本件訂正２による訂正は、特許請求の範囲の減縮を目的とするものである。
（２）本件訂正３〜本件訂正７
　本件訂正３〜本件訂正７による訂正は、訂正前の請求項１１〜１５が引用している請求項の記載について、「請求項１から請求項８」を引用しない記載の訂正請求項１１〜１５とする訂正である。
　本件訂正３〜本件訂正７による訂正は、多数項を引用している請求項の引用請求項数を減少するものであるから、特許請求の範囲の減縮に該当する。
　よって、本件訂正３〜本件訂正７による訂正は、特許請求の範囲の減縮を目的とするものである。
（３）本件訂正８
　本件訂正８による訂正は、訂正前の請求項１を削除するものであるから、特許請求の範囲の減縮に該当する。
　よって、本件訂正８による訂正は、特許請求の範囲の減縮を目的とするものである。
（４）本件訂正９〜本件訂正１５
ア　本件訂正９〜本件訂正１５による訂正は、訂正前の請求項２〜８を削除し、訂正前の請求項２〜８の記載を、訂正前の請求項２〜８の間における請求項の引用関係を変更せずに、訂正請求項１８〜２４に変更する訂正である。
イ　加えて、本件訂正９〜１２、１５による訂正は、訂正前の請求項１の記載を引用する訂正前の請求項２〜５、８について、訂正請求項９〜１５を引用する訂正請求項１８〜２１、２４とするものである。
ウ　上記アの訂正は、多数項を引用している請求項の上位請求項である訂正前の請求項１の削除によって、多数項を引用している請求項の引用請求項を減少すると共に、上記イの訂正は、請求項番号及び引用している請求項番号を変更するものといえるから、特許請求の範囲の減縮に該当する。
　よって、本件訂正９〜本件訂正１５による訂正は、特許請求の範囲の減縮を目的とするものである。
（５）本件訂正１６及び本件訂正１７
　本件訂正１６及び本件訂正１７による訂正は、訂正前の請求項１６及び１７の決定処理における「画像データを」の記載を「画像データの画像サイズを」の記載の訂正請求項１６及び１７とするものである。
　本件訂正１６及び本件訂正１７による訂正は、「画像データ」を限定したものといえるから、特許請求の範囲の減縮に該当する。
　よって、本件訂正１６及び本件訂正１７による訂正は、特許請求の範囲の減縮を目的とするものである。
（６）小括
　したがって、本件訂正１〜本件訂正１７による訂正は、特許法第１２０条の５第２項ただし書第１号に掲げる特許請求の範囲の減縮を目的とするものである。
３．２　一群の請求項の訂正であるかについて
　訂正前の請求項２〜１５は、訂正前の請求項１を引用するものであるため、連動して訂正されるものである。したがって、訂正前の請求項１〜１５に対応する訂正請求項１〜１５、１８〜２４は、一群の請求項を構成する。
　そして、本件訂正１〜本件訂正１５による訂正は、一群の請求項に対して請求されたものである。
　よって、本件訂正１〜本件訂正１５による訂正は、特許法第１２０条の５第９項において準用する特許法第１２６条第４項の規定に適合するものである。
３．３　願書に添付した明細書、特許請求の範囲又は図面に記載した事項の範囲内の訂正であること
　本件訂正１、本件訂正２、本件訂正１６及び本件訂正１７による訂正は、願書に添付した明細書の発明の詳細な説明の段落【００４２】、【００４３】及び【００６３】の記載に基づいて、訂正前の請求項９、１０、１６及び１７の「画像データを」の記載を「画像データの画像サイズを」に訂正するものである。
　したがって、本件訂正１、本件訂正２、本件訂正１６及び本件訂正１７による訂正は、願書に添付した明細書、特許請求の範囲又は図面に記載した範囲内においてするものである。
　よって、本件訂正１、本件訂正２、本件訂正１６及び本件訂正１７による訂正は、特許法第１２０条の５第９項において準用する特許法第１２６条第５項の規定に適合するものである。
３．４　実質上特許請求の範囲を拡張し、又は変更する訂正ではないこと
　本件訂正１〜本件訂正１７による訂正は、上記３．１のとおり、特許請求の範囲の減縮を目的とし、実質上特許請求の範囲を拡張し、又は変更するものではない。
　よって、本件訂正１〜本件訂正１７による訂正は、特許法第１２０条の５第９項において準用する特許法第１２６条第６項の規定に適合するものである。
４．小括
　以上のとおりであるから、本件訂正請求による訂正は、特許法第１２０条の５第２項ただし書第１号に掲げる事項を目的とするものであり、かつ、同条第４項、及び、同条第９項で準用する同法第１２６条第５項及び第６項の規定に適合するので、訂正後の請求項〔１〜１５、１８〜２４〕、１６、１７について訂正を認める。
第３　本件発明
　本件訂正請求により訂正された請求項１〜２４に係る発明（以下「本件発明１」〜「本件特許２４」という。）は、その特許請求の範囲の請求項１〜２４に記載された次の事項により特定されるとおりのものである。
　ただし、符号９Ａ〜２４Ａは、当審において付与したものであり、以下それぞれ「構成９Ａ」〜「構成２４Ａ」という。
　なお、請求項１〜８は削除された。
【請求項１】　（削除）
【請求項２】　（削除）
【請求項３】　（削除）
【請求項４】　（削除）
【請求項５】　（削除）
【請求項６】　（削除）
【請求項７】　（削除）
【請求項８】　（削除）
（本件特許９）
【請求項９】
（９Ａ）画像形成装置と、前記画像形成装置と通信を行うサーバとを備える画像形成システムにおいて、
　前記画像形成装置は、
（９Ｂ）前記サーバに記憶されている画像データのうち印刷対象の画像データの選択を受け付ける選択部と、
（９Ｃ）前記選択部によって選択された画像データの送信を前記サーバに要求する要求部と、
（９Ｄ）前記選択部によって選択された画像データの画像サイズを変換させる条件である変換条件に従って前記サーバによって変換された画像データである変換データを、前記サーバから受信する受信部と、
（９Ｅ）前記受信部にて受信した変換データを記憶する記憶部と、
（９Ｆ）前記記憶部に記憶された変換データに基づいて印刷を行う印刷部と,
（９Ｇ）印刷設定を入力する入力部と、を備え、
（９Ｈ）前記印刷設定を含む特有情報を前記サーバに送信し、
　前記サーバは、
（９Ｉ）前記画像形成装置が有する前記特有情報であって、前記入力部によって入力された前記印刷設定が含まれる前記特有情報に基づいて、前記変換条件を決定する決定部と、
（９Ｊ）前記要求部によって送信が要求された画像データを前記変換条件に従って変換し、当該画像データから画像サイズが変換された変換データを生成する生成部と,
（９Ｋ）前記生成部が生成した変換データを、前記画像形成装置に送信する送信部と, を備え、
（９Ａ）ことを特徴とする画像形成システム。
（本件特許１０）
【請求項１０】
（１０Ａ）画像形成装置と, 前記画像形成装置と通信を行うサーバとを備える画像形成システムにおいて、
　前記画像形成装置は、
（１０Ｂ）前記サーバに記憶されている画像データのうち、印刷対象の画像データの選択を受け付ける選択部と、
（１０Ｃ）前記選択部によって選択された画像データの送信を前記サーバに要求する要求部と、
（１０Ｄ）前記選択部によって選択された画像データの画像サイズを変換させる条件である変換条件に従って前記サーバによって変換された画像データである変換データを、前記サーバから受信する受信部と、
（１０Ｅ）前記受信部にて受信した変換データを記憶する記憶部と,
（１０Ｆ）前記記憶部に記憶された変換データに基づいて印刷を行う印刷部と,
（１０Ｇ）印刷設定を入力する入力部と、
（１０Ｈ）前記画像形成装置が有する特有情報であって、前記入力部によって入力された印刷設定が含まれる前記特有情報に基づいて、前記変換条件を決定する決定部と、を備え、
（１０Ｉ）決定した前記変換条件を前記サーバに送信し、
　前記サーバは、
（１０Ｊ）前記要求部によって送信が要求された画像データの画像サイズを前記変換条件に従って変換し、当該画像データから変換データを生成する生成部と,
（１０Ｋ）前記生成部が生成した変換データを、前記画像形成装置に送信する送信部とを備える、
ことを特徴とする画像形成システム。
（本件特許１１）
【請求項１１】
　請求項９または請求項１０に記載する画像形成システムにおいて、
（１１Ａ）前記画像形成装置は、
　前記サーバにファイルリスト要求を送信し、
　前記サーバからファイルリストを受信し、
　受信した前記ファイルリストに基づいて、印刷対象の画像データの選択を前記選択部にて受け付ける、ことを特徴とする画像形成システム。
（本件特許１２）
【請求項１２】
　請求項９から請求項１１までのいずれか１つに記載する画像形成システムにおいて、
（１２Ａ）前記変換条件には、前記変換データの画像サイズと、印刷設定の色指定と、が含まれる、ことを特徴とする画像形成システム。
（本件特許１３）
【請求項１３】
　請求項９から請求項１２までのいずれか１つに記載する画像形成システムにおいて、
（１３Ａ）前記変換条件には、前記変換データの画像サイズが含まれ、
　前記決定部は、前記画像サイズを、前記印刷設定に含まれる解像度が低いほど小さいサイズに決定する、ことを特徴とする画像形成システム。
（本件特許１４）
【請求項１４】
　請求項９から請求項１３までのいずれか１つに記載する画像形成システムにおいて、
（１４Ａ）前記変換条件には、前記変換データの画像サイズが含まれ、
　前記決定部は、前記印刷設定の色指定がモノクロの場合には、色指定がカラーの場合に比較して、前記画像サイズを小さいサイズに決定する、ことを特徴とする画像形成システム。
（本件特許１５）
【請求項１５】
　請求項９から請求項１４までのいずれか１つに記載する画像形成システムにおいて、
（１５Ａ）前記変換条件には、前記変換データの画像サイズが含まれ、
　前記決定部は、前記画像サイズを、前記印刷設定に含まれる用紙サイズが小さいほど小さいサイズに決定する、ことを特徴とする画像形成システム。
（本件特許１６）
【請求項１６】
（１６Ａ）サーバと通信を行う画像形成装置において、
（１６Ｂ）画像データを受信する受信部と、
（１６Ｃ）印刷を行う印刷部と、
（１６Ｄ）制御部と、
（１６Ｅ）印刷設定を入力する入力部と、を備え、
　前記制御部は、
（１６Ｆ）前記サーバに記憶されている画像データのうち、印刷対象の画像データの選択を受け付ける選択処理と、
（１６Ｇ）自装置が有する特有情報であって、前記入力部によって入力された印刷設定が含まれる前記特有情報に基づいて、前記サーバにて前記選択処理によって選択された画像データの画像サイズを変換させる条件である変換条件を決定する決定処理と、
（１６Ｈ）前記選択処理によって選択された画像データの送信を要求する送信要求と、前記決定処理によって決定された前記変換条件とを、前記サーバに送信する要求送信処理と、
（１６Ｉ）前記変換条件に従って前記サーバによって変換され、前記要求送信処理に応じて前記受信部が前記サーバから受信した画像データである変換データに基づいて、前記印刷部に印刷を行わせる印刷処理と、
　を実行することを特徴とする画像形成装置。
（本件特許１７）
【請求項１７】
（１７Ａ）画像形成装置と通信を行うサーバにおいて、
（１７Ｂ）画像データを送信する送信部と、
（１７Ｃ）制御部と、を備え、
　前記制御部は、
（１７Ｄ）前記画像形成装置が有する特有情報であって、前記画像形成装置に入力された印刷設定が含まれる前記特有情報を取得する取得処理と、
（１７Ｅ）前記取得処理にて取得された前記特有情報に基づいて、前記画像形成装置によって選択された画像データの画像サイズを変換する条件である変換条件を決定する決定処理と、
（１７Ｆ）前記画像形成装置から送信が要求された画像データを前記変換条件に従って変換し、当該画像データから変換データを生成する生成処理と、
（１７Ｇ）前記生成処理にて生成された変換データを、前記送信部にて前記画像形成装置に送信する送信処理と、
　を実行することを特徴とするサーバ。
（本件特許１８）
【請求項１８】
　請求項９から請求項１５までのいずれか１つに記載する画像形成システムにおいて、
（１８Ａ）前記印刷設定には、画質情報が含まれることを特徴とする画像形成システム。
（本件特許１９）
【請求項１９】
　請求項９から請求項１５、請求項１８のいずれか１つに記載する画像形成システムにおいて、
（１９Ａ）前記入力部は、前記記憶部の空き容量に基づいて、入力される印刷設定の範囲を制限する
ことを特徴とする画像形成システム。
（本件特許２０）
【請求項２０】
　請求項９から請求項１５、請求項１８、請求項１９のいずれか１つに記載する画像形成システムにおいて、
（２０Ａ）前記入力部は、前記印刷部のカラー画像の形成能力に基づいて、入力される印刷設定の範囲を制限することを特徴とする画像形成システム。
（本件特許２１）
【請求項２１】
　請求項９から請求項１５および請求項１８から請求項２０のいずれか１つに記載する画像形成システムにおいて、
（２１Ａ）前記特有情報には、前記画像形成装置の能力に関する情報が含まれることを特徴とする画像形成システム。
（本件特許２２）
【請求項２２】
　請求項２１に記載する画像形成システムにおいて、
（２２Ａ）前記画像形成装置の能力に関する情報には、前記記憶部の空き容量が含まれることを特徴とする画像形成システム。
（本件特許２３）
【請求項２３】
　請求項２１または請求項２２に記載する画像形成システムにおいて,
（２３Ａ）前記画像形成装置の能力に関する情報には、前記印刷部のカラー画像の形成能力に関する情報が含まれることを特徴とする画像形成システム。
（本件特許２４）
【請求項２４】
　請求項９から請求項１５および請求項１８から請求項２３のいずれか１つに記載する画像形成システムにおいて、
（２４Ａ）前記決定部は　前記画像形成装置が有する前記特有情報に加え、前記サーバの画像データの変換能力に関する情報に基づいて、前記変換条件を決定することを特徴とする画像形成システム。
第４　特許異議の申立てについて
１．取消理由の概要
　当審において、訂正前の請求項１〜１７に係る発明に対して平成２９年１０月２７日付けで特許権者に通知した取消理由の要旨は、次のとおりである。
（１）取消理由１
　請求項１に係る発明は、発明の詳細な説明に記載した範囲を超えるものであるから、請求項１及び請求項１を引用する請求項２〜８、１１〜１５に係る特許は、特許法第３６条第６項第１号に規定する要件を満たしていない特許出願に対してされたものであり、取り消されるべきものである。 
（２）取消理由２
　請求項１〜２、５、９〜１２、１６〜１７に係る発明は、甲第１号証に記載された発明であるから、特許法第２９条第１項第３号の規定により特許を受けることができないものであり、取り消されるべきものである。  
（３）取消理由３
　請求項１〜１７に係る発明は、甲第１号証〜甲第６号証に記載された発明に基づき、容易に発明をすることができたものであるから、特許法第２９条第２項の規定により特許を受けることができないものであり、取り消されるべきものである。
［引用文献等一覧］  
 甲第１号証：特開２０１２−９４１１３号公報  
 甲第２号証：特開２００４−３５００７６号公報  
 甲第３号証：特開２００３−１０３８６０号公報  
 甲第４号証：特開２００３−２９６２３０号公報  
 甲第５号証：特開平９−３２７９４７号公報  
 甲第６号証：特開２０１１−１５８９４６号公報  
２．特許異議申立人の意見書における意見の概要
　平成２９年１２月２６日に特許権者から提出された意見書及び訂正の請求に対して、特許異議申立人より平成３０年３月２２日付けで提出された意見書における意見の概要は次のとおりである。
（１）訂正後の請求項９〜１２、１６〜１８、２１に係る発明は、甲第１号証に記載された発明であるから、特許法第２９条第１項第３号の規定に違反しており、取り消されるべきものである。
（２）訂正後の請求項９、１０、１６、１７に係る発明は、甲第１号証に記載された発明、または、甲第１号証に記載された発明及び周知技術（例えば、甲第７号証〜甲第１０号証）に基づき容易に発明をすることができたものであるから、特許法第２９条第２項の規定に違反しており、取り消されるべきものである。
（３）訂正後の請求項１１〜１５、１８〜２４に係る発明は、甲第１号証〜甲第６号証に記載された発明に基づき容易に発明をすることができたものであるから、特許法第２９条第２項の規定に違反しており、取り消されるべきものである。
［引用文献等一覧］
甲第７号証：特開２００５−２０２７２３号公報
甲第８号証：特開２００７−３０３５４号公報
甲第９号証：特開２００４−２２０３５４号公報
甲第１０号証：特開２０００−１１２６８７号公報
３．取消理由を検討する請求項について
３．１　取消理由１（特許法第３６条第６項第１号の規定違反）について
　本件訂正請求により、請求項１及び請求項１を引用する請求項２〜８は削除されたから、請求項１及び請求項１を引用する請求項２〜８に係る取消理由１は、対象となる請求項が存在しない。
　また、本件訂正請求により、請求項１１〜１５は、引用請求項から請求項１〜８が削除され、請求項１を引用しない記載の請求項と訂正されたから、請求項１を引用する請求項１１〜１５に係る取消理由１は、解消された。
　したがって、取消理由１は解消された。
３．２　取消理由２（特許法第２９条第１項第３号の規定違反）について
　本件訂正請求により、請求項１〜２、５は削除されたので、請求項１〜２、５に係る取消理由２については、対象となる請求項が存在しない。
　また、特許異議申立人は、意見書において、訂正後の請求項９〜１２、１６〜１８、２１に係る発明は、甲第１号証に記載された発明であるから、特許法第２９条第１項第３号の規定によりに違反しており、取り消されるべきものであると主張している。
　そこで、訂正後の請求項９〜１２、１６〜１８、２１に係る発明（本件発明９〜１２、１６〜１８、２１）について、以下５．１で検討する。
３．３　取消理由３（特許法第２９条第２項の規定違反）について
　本件訂正請求により、請求項１〜８は削除されたので、請求項１〜８に係る取消理由３については、対象となる請求項が存在しない。
　また、特許異議申立人は、意見書において、訂正後の請求項９〜２４に係る発明は、甲第１号証に記載された発明、甲第１号証に記載された発明及び周知技術、または、甲第１号証〜甲第６号証に記載された発明に基づき容易に発明をすることができたものであるから、特許法第２９条第２項の規定に違反しており、取り消されるべきものであると主張している。
　そこで、訂正後の請求項９〜２４に係る発明（本件発明９〜２４）について、以下５．２で検討する。
４．甲各号証の記載及び甲各号証に記載された発明
４．１　甲第１号証
（１）甲第１号証の記載事項
　甲第１号証（特開２０１２−９４１１３号公報）には、「プリントシステム、印刷方法、プリントサーバ、制御方法、及びプログラム」（発明の名称）に関し、図面とともに以下の事項が記載されている。
　なお、説明のために、下線を当審において付与した。
ア「【発明の詳細な説明】
【技術分野】
【０００１】
本発明は、
プルプリント制御を行うプリントシステム
プリントサーバ
【背景技術】
【０００２】
　
従来、
所謂「プルプリント」の印刷システムが提案されている
【０００３】
　また、ユーザの意図しない印刷出力がなされた場合の再印刷手段として、印刷装置上のパネルにクライアントＰＣ上で動作しているプリンタドライバのＵＩ（Ｕｓｅｒ　Ｉｎｔｅｒｆａｃｅ）を表示する。そして、このＵＩを操作することで再印刷設定と再印刷を指示するシステムの提案がなされている（例えば、特許文献２参照）。
（略）
【発明の概要】
【発明が解決しようとする課題】
【０００５】
　従来の方法では、ユーザが印刷装置からサーバ上に一時蓄積された印刷データに対して印刷要求を行う際に、印刷設定情報の変更を指示することが困難である。
サーバ上に一次蓄積される印刷データの形式は、印刷装置に依存したＰＤＬ（Ｐａｇｅ Ｄｅｓｃｒｉｐｔｉｏｎ Ｌａｎｇｕａｇｅ）であるため、印刷設定情報の変更の指示通りにＰＤＬを編集しなければならない。
ユーザが印刷装置からサーバ上に一時蓄積された印刷データに対して印刷要求を行う際に、４ページを１ページに割り付けるような印刷設定（以後、４ｉｎ１と称する）を指示した
サーバ上に一次蓄積される印刷データ、即ちＰＤＬ
ＰＤＬが印刷装置の解像度に依存するラスタ形式であるなら、４ｉｎ１を実現するためにラスタ画像を縮小することになるので、細線の消失等、品質上の様々な問題が生じる。また、ＰＤＬは多種多様な仕様が存在するので、それら複数のＰＤＬに対応することは多大な労力を必要とする。そもそも、ＰＤＬの仕様が非公開であったら、ＰＤＬを変更することもできない。
【０００６】
　また、ユーザが印刷装置から印刷設定情報の変更を指示する方法として、印刷装置上のパネルにクライアントＰＣ上で動作しているプリンタドライバのＵＩを表示する方法は、プルプリントシステムに適用するのが困難である。ユーザが、プルプリントを実行するためにクライアントＰＣ上で印刷を指示する時点では、まだ出力対象の印刷装置は確定していないので、使用するプリンタドライバＵＩの機能は印刷装置に依存しない汎用的なものにならざるを得ない。そして、ユーザが印刷装置に赴き、印刷装置上のパネルを操作する時点で初めて出力対象の印刷装置が確定する。つまり、印刷装置上のパネルに表示するプルプリント用のプリンタドライバＵＩの機能は汎用的なものに過ぎない、即ち印刷装置固有の機能を使えないので、印刷設定可能な機能が限定されてしまう。
（略）
【発明の効果】
【０００８】
　本発明により、ユーザが印刷装置からサーバ上に一時蓄積された印刷データに対して印刷要求を行う際に、印刷設定の変更を指示することが可能となる。しかも、印刷装置上で動作する印刷設定変更を指示するプログラムは、クライアントＰＣではなく、サーバ上にある印刷装置に適したプリンタドライバに印刷設定変更を依頼するため、適切な印刷設定変更が可能になる。」
イ「【発明を実施するための形態】
【００１０】
　［システム構成］
　以下、本発明を実施するための形態について図面を用いて説明する。図１は、本発明に係る情報処理装置、プリントサーバ、アドレス管理サーバ、および印刷装置を適用可能なプリントシステムの構成の一例を示すシステム構成図である。図１の「事業所Ａ」に示すように、
本実施形態のプリントシステムは、１又は複数のクライアントＰＣ１００、１又は複数のプリントサーバ１０１、１又は複数の複合機１０２
がローカルエリアネットワーク（ＬＡＮ）１０６を介して接続される構成
ウ「【００１１】
　クライアントＰＣ１００には、仮想プリンタドライバがインストールされている。この仮想プリンタドライバは、クライアント・アプリケーションから受け取ったデータに基づいて、
特定の複合機に依存しない中間形式の印刷ジョブ
中間形式の印刷ジョブとは、フォーマットに関する共通仕様が一般に公開されており、かつ再編集が容易な形式の印刷データを意味する。
本実施形態においては、ＥＭＦＳＰＯＯＬ形式を使って説明するが、ＸＰＳやＰＤＦなど他の中間形式の印刷データであってもかまわない。
【００１２】
　
プリントサーバ１０１は、受信した該印刷ジョブを所定の格納場所に保存する。
該印刷ジョブに関するメタデータを、ジョブ管理ＤＢに記憶する。
プリントサーバ１０１は、上記所定の格納場所に保存している印刷ジョブとジョブ管理ＤＢに記録管理しているメタデータとからＰＤＬ（Ｐｒｉｎｔｅｒ ＤｅｓｃｒｉｐｔｉｏｎＬａｎｇｕａｇｅ）データを生成し、複合機１０２へ転送する。
エ「【００１８】
［情報処理装置］
　図２を用いて、図１に示したクライアントＰＣ１００、
プリントサーバ１０１
に適用可能な情報処理装置のハードウェア構成について説明する。
【００１９】
　図２において、
ＣＰＵ２０１は、システムバス２０４に接続される各デバイスやコントローラを統括的に制御する。
ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現する
【００２０】
  ビデオコントローラ２０６は、モニタ２１０への表示を制御する。一般に、モニタ２１０は液晶ディスプレイやＣＲＴ等の表示器である。これらは必要に応じて管理者が使用するものである。メモリコントローラ２０７は、ブートプログラム、各種のアプリケーション、編集ファイル、各種データ等を記憶するハードディスク（ＨＤ）、ＳＳＤ（Ｓｏｌｉｄ  Ｓｔａｔｅ  Ｄｒｉｖｅ）、ＳＤメモリカード等の外部メモリ２１１へのアクセスを制御する。
通信Ｉ／Ｆコントローラ２０８は、ネットワーク（例えば、図１に示したＬＡＮ１０６）を介して外部機器と接続・通信し、ネットワークでの通信制御処理を実行する。
オ「【００２２】
［コントローラユニット］
　図３を用いて、図１に示した
複合機１０２を制御するコントローラユニットのハードウェア構成について説明する。
コントローラユニット３１６は、
画像出力デバイスとして機能するプリンタ３１２と接続する。
コントローラユニット３１６において、ＣＰＵ３０１は、システム全体を制御するプロセッサである。ＲＡＭ３０２は、ＣＰＵ３０１が動作するためのシステムワークメモリであり、プログラムを記録するためのプログラムメモリや、画像データを一時記録するための画像メモリでもある。
【００２３】
　
操作部インタフェース（操作部Ｉ／Ｆ）３０７は、操作部（ＵＩ）３０８とのインタフェース部であり、操作部３０８に表示する画像データを操作部３０８に対して出力する。
操作部３０８はタッチパネルを有する表示部を備え、該表示部に表示されたボタンを、ユーザが押下（指等でタッチ）することにより、各種指示を行うことができる。ネットワークインタフェース（Ｎｅｔｗｏｒｋ Ｉ／Ｆ）３０５は、ネットワーク（ＬＡＮ）に接続し、データの入出力を行う。
【００２４】
　イメージバスインタフェース（ＩＭＡＧＥ ＢＵＳ Ｉ／Ｆ）３２０は、システムバス３０９と画像データを高速で転送する画像バス３１５とを接続し、データ構造を変換するバスブリッジである。画像バス３１５は、ＰＣＩバスまたはＩＥＥＥ１３９４で構成される。画像バス３１５上には以下のデバイスが接続される。
ラスタイメージプロセッサ（ＲＩＰ）３１０は、例えば、ＰＤＬコード等のベクトルデータをビットマップイメージに展開する。
【００２５】
（略）
プリンタ３１２は、ラスタイメージデータを用紙上の画像に変換する部分であり、
プリント動作の起動は、ＣＰＵ３０１からの指示によって開始する。
カ「【００２９】
　以下、本実施形態のプルプリントの全体の流れについて説明する。図４は、本実施形態のプリントシステムにおけるプルプリント（どこでもプリント（登録商標））の全体の流れを説明する模式図である。（略）
【００３０】
　プリントサーバ１０１にて、プリントプロセッサ４０２は、仮想プリンタドライバ４０１から送信されてきたＥＭＦＳＰＯＯＬ形式の印刷ジョブを読み取り、印刷ジョブのメタデータを生成する。そして、プリントプロセッサ４０２は、ジョブ管理サービス４０３へメタデータと印刷ジョブを送信する（１−３）。
ジョブ管理サービス４０３は、プリントサーバ１０１上の所定の格納場所にＥＭＦＳＰＯＯＬ形式の印刷ジョブを保存する。
ジョブ管理サービス４０３は、メタデータをジョブ管理ＤＢ４０４（プリントサーバ１０１の外部記憶装置上に構築される）に登録する（１−４）。
【図４】
」
キ「【００３５】
　
パネル・アプリケーション４０７は、
プリントサーバ１０１上のジョブ管理サービス４０３へ対し印刷ジョブ一覧を要求する（２−４）。
ジョブ管理サービス４０３は、ジョブ管理ＤＢ４０４を参照して（２−５）、該ユーザ名に対応する印刷ジョブ一覧を生成し、パネル・アプリケーション４０７へ印刷ジョブ一覧を返信する（２−６）。
パネル・アプリケーション４０７は、ジョブ管理サービス４０３から印刷ジョブ一覧を受信すると、該印刷データ一覧を操作部３０８のＵＩ上に表示する。
ク「【００３６】
　そして、
ユーザにより、印刷ジョブが選択され、印刷設定情報の変更指示、及び印刷指示がなされると、パネル・アプリケーション４０７は、該選択された印刷ジョブの印刷設定情報をジョブ管理サービス４０３に送信する（３−１）。
ジョブ管理サービス４０３は、パネル・アプリケーション４０７から印刷設定情報を受信すると、ジョブ管理ＤＢ４０４を参照する（３−２）。
ジョブ管理サービス４０３は、クライアントＰＣで設定された汎用的な印刷設定情報をパネル・アプリケーション４０７から受信した印刷設定情報に変更
ケ「【００３７】
　そして、
パネル・アプリケーション４０７は、改めてジョブ管理サービス４０３に対し印刷要求（出力指示）を行う（４−１）。
ジョブ管理サービス４０３は、パネル・アプリケーション４０７から印刷指示を受信すると、ジョブ管理ＤＢ４０４を参照して印刷に必要な情報を取得する（４−２）。
ジョブ管理サービス４０３は、該印刷指示に基づいて印刷処理を実行するために、ジョブ管理ＤＢ４０４から取得した情報に基づいて、ＥＭＦＳＰＯＯＬ形式の印刷ジョブを取得する。そして、その印刷ジョブに対するＰＤＬ変換処理等の指示をプリンタドライバへ行う（４−３）。
印刷要求を発行したプリンタのプリンタドライバに対してＰＤＬ変換処理が指示される。
コ「【００３８】
　その後、
プリンタドライバ４０８は、複合機１０２にＰＤＬジョブを送信して複合機１０２で印刷する（４−４）。
ＰＤＬジョブとは、ＥＭＦＳＰＯＯＬ形式の印刷ジョブに対して、印刷可能なＰＤＬ形式に変換したジョブを指す。このＰＤＬ形式のジョブに変換することにより、複合機１０２にて出力が可能となる。」
サ「【００５１】
　
メタデータは、図５の「１−３」行の「送信データ」列にある、ＧＵＩＤ（Ｇｌｏｂａｌ Ｕｎｉｑｕｅ Ｉｄｅｎｔｉｆｉｅｒ）、ジョブ名、ユーザ名、ＤＥＶＭＯＤＥ、仮想プリンタドライバの論理プリンタ名である。
印刷ジョブの識別子を記述する。
指定された最初のページの印刷設定情報（ＤＥＶＭＯＤＥ）を記述する。
シ「【００７４】
　まず、パネル・アプリケーション４０７による印刷設定情報の変更確認及び印刷指示処理を説明する。ＳＥ９００において、
パネル・アプリケーション４０７
印刷ジョブ一覧表示画面（図１５（ｃ））を操作部３０８の表示部に表示する
　【図１５】（ｃ）
【００７５】
　ＳＥ９０１において、
パネル・アプリケーション４０７は、印刷ジョブの選択とプリントするボタン１４２２の押下をユーザから受け付ける。
パネル・アプリケーション４０７は、印刷設定情報の変更画面（図１６（ａ））を操作部３０８の表示部に表示するように制御する。図１６（ａ）の設定１４３１は、カラーモードの指定
図１６（ａ）の設定１４３２は、両面・片面の指定
図１６（ａ）の設定１４３３は、ページ集約の指定
図１６（ａ）の設定１４３４は、印刷部数の指定
　【図１６】（ａ）
【００７６】
　ＳＥ９０３において、
パネル・アプリケーション４０７は、印刷設定情報の変更をユーザから受け付ける。
印刷設定情報が変更された場合は、
パネル・アプリケーション４０７は、ジョブ管理サービス４０３へ印刷設定情報を送信する。この印刷設定情報は、図５の「３−１」行の「送信データ」列にある、ＧＵＩＤ、部数、両面、カラーモード、ページ集約、複合機のモデル名である。
ス「【００８５】
　［論理プリンタ作成処理］
　（略）ＳＣ１００２において、ジョブ管理サービス４０３は、図１の複合機１０２のモデル名をサポートしたプリンタドライバがプリントサーバ１０１上にインストールされているかどうか判定する。プリンタドライバがインストールされていない場合、ＳＣ１００３へ進み、
ジョブ管理サービス４０３は、図１の複合機１０２のモデル名をサポートしたプリンタドライバをプリントサーバ１０１上にインストールする。これにより、印刷ジョブを当該モデル名の複合機が出力可能な形式に変換可能となる。
セ「【００９０】
　まず、パネル・アプリケーション４０７による印刷指示処理を説明する。ＳＥ１１００において、パネル・アプリケーション４０７の処理を開始する。ＳＥ１１０１において、
パネル・アプリケーション４０７は、ジョブ管理サービス４０３へ印刷指示要求コマンドを送信する。このとき、パネル・アプリケーション４０７は、選択済みの印刷ジョブのＧＵＩＤと複合機１０２のモデル名も併せて送信する。
ソ「【００９２】
　次にジョブ管理サービス４０３による印刷処理を説明する。ＳＣ１１００において、ジョブ管理サービス４０３の処理を開始する。ＳＣ１１０１において、
ジョブ管理サービス４０３は、パネル・アプリケーション４０７のＳＥ１１０１から印刷指示コマンドを受信する。このとき、ジョブ管理サービス４０３は、印刷対象の印刷ジョブのＧＵＩＤと複合機１０２のモデル名も併せて受信する。
ジョブ管理サービス４０３は、
ＥＭＦＳＰＯＯＬのファイル名とＤＥＶＭＯＤＥと
を取得する。なお、ここで取得されるＤＥＶＭＯＤＥは、図１６（ａ）を使って設定された印刷設定情報である。
タ「【００９３】
　ＳＣ１１０５において、ジョブ管理サービス４０３は、ＳＣ１１０４で得たユーザトークンを使って、自身のスレッドを偽装する。スレッドを偽装している間、スレッドは図４のクライアント・アプリケーション４００で印刷を実行したユーザのセキュリティコンテキストで実行される。ＳＣ１１０６において、
ジョブ管理サービス４０３は、ＳＣ１１０２で得た論理プリンタに対し、ＳＣ１１０４で得たＥＭＦＳＰＯＯＬとＤＥＶＭＯＤＥをレンダリングして印刷処理を実行する。
論理プリンタを構成するプリンタドライバはＰＤＬを生成し、複合機１０２にＰＤＬを送信する。
（２）「プリントシステム」
　上記（１）ア及びイには、「プリントサーバと複合機を含むプリントシステムがローカルエリアネットワーク（ＬＡＮ）を介して接続される構成のプリントシステム」が記載されている。
（３）「プリントサーバ」
　上記（１）エには、プリントシステムのプリントサーバ１０１は、「ネットワークを介して外部機器と接続・通信し、ネットワークでの通信制御処理を実行する通信Ｉ／Ｆコントローラ」と、「システムバスに接続される各デバイスやコントローラを統括的に制御するＣＰＵ」とを備えることが記載されている。
　そして、上記（１）カの「ジョブ管理サービス４０３」は、プリントサーバ１０１上で実行されるから、プリントサーバ１０１のＣＰＵ２０１が実行する処理であることは明らかである。
（４）「印刷ジョブ」、「ＰＤＬジョブ」
　上記（１）ア及びウには、「サーバ上に一次蓄積される印刷データの形式は、印刷装置に依存したＰＤＬである」こと、「特定の複合機に依存しない中間形式の印刷ジョブ」は「フォーマットに関する共通仕様が一般に公開されており、かつ再編集が容易な形式の印刷データを意味する」こと、「本実施形態においては、ＥＭＦＳＰＯＯＬ形式を使って説明するが、ＸＰＳやＰＤＦなど他の中間形式の印刷データであってもかまわない」ことが記載されている。
　また、上記（１）ウには、「プリントサーバ１０１は、上記所定の格納場所に保存している印刷ジョブとジョブ管理ＤＢに記録管理しているメタデータとからＰＤＬデータを生成し、複合機１０２へ転送する」ことが記載されている。
　ここで、上記（１）アの「ＰＤＬ」、上記（１）ウの「ＰＤＬデータ」、上記（１）オの「ＰＤＬコード」、上記（１）コの「ＰＤＬジョブ」及び上記（１）タの「ＰＤＬ」は、プリントサーバ１０１が印刷ジョブとメタデータとから生成した複合機が印刷可能な形式のジョブである「ＰＤＬジョブ」を意味するものと認められる。
　よって、上記（１）ア及びウによれば、プリントサーバ１０１は、「特定の複合機に依存しない中間形式の印刷ジョブを所定の格納場所に保存」すること、「複合機が印刷可能な形式のＰＤＬジョブを複合機に送信」することが記載されている。
（５）「メタデータ」、「印刷設定情報」
　上記（１）サには、プリントサーバ１０１のプリントプロセッサ４０２が生成する「メタデータは、ＧＵＩＤ、ジョブ名、ユーザ名、ＤＥＶＭＯＤＥ、仮想プリンタドライバの論理プリンタ名である」こと、当該「ＤＥＶＭＯＤＥ」は「印刷設定情報（ＤＥＶＭＯＤＥ）」であることが記載されている。
　また、上記（１）シには、複合機１０２の「パネル・アプリケーション４０７は、プリントサーバ１０１のジョブ管理サービス４０３へ印刷設定情報を送信する」こと、当該「印刷設定情報」は、「ＧＵＩＤ、部数、両面、カラーモード、ページ集約、複合機のモデル名」であることが記載されている。
（６）「ジョブ管理サービス」
（６−１）上記（１）ウ及びカには、ジョブ管理サービス４０３は、「プリントサーバ１０１上の所定の格納場所に印刷ジョブを保存」し、「メタデータをジョブ管理ＤＢ４０４に登録する処理」を実行することが記載されている。
　そして、上記（１）ウ及びカ、上記（４）並びに（５）を総合すると、ジョブ管理サービス４０３は、「特定の複合機に依存しない中間形式の印刷ジョブを所定の格納場所に保存し、ジョブ管理ＤＢに前記印刷ジョブのＧＵＩＤと印刷設定情報を登録する処理」を実行することが記載されている。
（６−２）上記（１）キには、ジョブ管理サービス４０３は、パネル・アプリケーション４０７から「印刷ジョブ一覧要求を受信する」ことで、「印刷ジョブ一覧を生成し」、パネル・アプリケーション４０７へ「印刷ジョブ一覧を返信する処理」を実行することが記載されている。
　よって、上記（１）キには、ジョブ管理サービス４０３は、「前記印刷ジョブ一覧要求を受信することで、前記印刷ジョブ一覧を生成し、前記複合機へ前記印刷ジョブ一覧を返信する処理」を実行することが記載されている。
（６−３）上記（１）クには、ジョブ管理サービス４０３は、「パネル・アプリケーション４０７から印刷設定情報を受信」すると、ジョブ管理ＤＢ４０４に登録されている「印刷設定情報をパネル・アプリケーション４０７から受信した印刷設定情報に変更する処理」を実行することが記載されている。
　よって、上記（１）ク、上記（５）及び上記（６−１）を総合すると、ジョブ管理サービス４０３は、「前記複合機から前記変更された印刷設定情報を受信し、前記ジョブ管理ＤＢに登録している印刷設定情報を受信した前記変更された印刷設定情報に変更する処理」を実行することが記載されている。
（６−４）上記（１）ケには、ジョブ管理サービス４０３は、「パネル・アプリケーション４０７から印刷指示を受信する」と「印刷ジョブを取得する」こと、「その印刷ジョブに対するＰＤＬ変換処理等の指示をプリンタドライバへ行う」ことが記載されている。
　上記（１）ソには、ジョブ管理サービス４０３は、「印刷対象の印刷ジョブのＧＵＩＤと複合機のモデル名も併せて受信する」こと、「ＥＭＦＳＰＯＯＬのファイル名とＤＥＶＭＯＤＥ」を取得する。なお、ここで取得されるＤＥＶＭＯＤＥは、図１６（ａ）を使って設定された印刷設定情報である」ことが記載されている。
　上記（１）タには、ジョブ管理サービス４０３は、論理プリンタに対して、「ＥＭＦＳＰＯＯＬとＤＥＶＭＯＤＥをレンダリングして印刷処理を実行する」ことが記載されている。
　ここで、上記（４）及び（５）から、当該「ＥＭＦＳＰＯＯＬ」は「印刷ジョブ」であり、当該「ＤＥＶＭＯＤＥ」は「印刷設定情報」であると認められる。
　そして、これらの記載を総合すると、ジョブ管理サービス４０３は、「前記複合機から前記印刷指示と前記印刷ジョブのＧＵＩＤと前記複合機のモデル名を受信すると、前記印刷ジョブに対するＰＤＬ変換処理の指示をプリンタドライバへ行い、前記印刷ジョブと前記ジョブ管理ＤＢに登録している印刷設定情報をレンダリングして印刷処理」を実行することが記載されている。
（７）「プリンタドライバ」
　上記（１）コには、プリントサーバ１０１のプリンタドライバ４０８は、「複合機１０２にＰＤＬジョブを送信して複合機１０２で印刷する」ことが記載されている。
　上記（１）スには、プリンタドライバについて、「ジョブ管理サービス４０３は、図１の複合機１０２のモデル名をサポートしたプリンタドライバをプリントサーバ１０１上にインストールする。これにより、印刷ジョブを当該モデル名の複合機が出力可能な形式に変換可能となる」ことが記載されている。
　上記（１）タには、「論理プリンタを構成するプリンタドライバはＰＤＬを生成し、複合機１０２にＰＤＬを送信する」ことが記載されている。
　上記（１）コ、ス及びタを総合すると、プリントサーバ１０１のプリンタドライバ４０８は、「前記印刷ジョブを前記複合機が印刷可能な形式のＰＤＬジョブに変換するＰＤＬ変換処理と、前記ＰＤＬジョブを前記複合機に送信する処理」を実行することが記載されている。
（８）「複合機」
　上記（１）オには、プリントシステムの複合機１０２は、「システム全体を制御するＣＰＵ」及び「タッチパネルを有する表示部を備え、該表示部に表示されたボタンを、ユーザが押下することにより、各種指示を行うことができる操作部」を備えることが記載されている。
　また、上記（１）オには、「ネットワーク（ＬＡＮ）に接続し、データの入出力を行うネットワークインタフェース（Ｎｅｔｗｏｒｋ  Ｉ／Ｆ）３０５」、「画像データを一時記録するための画像メモリでもあるＲＡＭ３０２」、「ＰＤＬコード等のベクトルデータをビットマップイメージに展開するラスタイメージプロセッサ（ＲＩＰ）３１０」及び「画像出力デバイスとして機能するプリンタ３１２」を備えることが記載されている。
　ここで、上記（４）及び（７）から、当該「ＰＤＬコード等」はプリンタドライバが印刷ジョブをＰＤＬ変換処理したＰＤＬジョブ」であって、ネットワークインタフェース３０５が当該「ＰＤＬジョブ」を受信すること、ＲＡＭ３０２が当該「ＰＤＬジョブ」を一時記録すること、そして、プリンタ３１２が当該「ＰＤＬジョブ」に基づいたビットマップイメージを画像出力することも明らかである。
　よって、上記（１）オ、上記（４）及び（７）を総合すると、複合機１０２は、「前記プリントサーバからＰＤＬジョブを受信するネットワークインタフェース」、「前記ＰＤＬジョブを一時記録するＲＡＭ」及び「前記ＰＤＬジョブに基づいたビットマップイメージを出力するプリンタ」を備えることが記載されている。
　また、上記（１）オには、「プリント動作の起動は、ＣＰＵ３０１からの指示によって開始する」ことが記載されているから、複合機１０２のＣＰＵ３０１は、「プリンタへプリント動作の起動を指示する処理」を実行することが記載されている。
（９）「パネル・アプリケーション」
　上記（１）オには、ＣＰＵ３０１はシステム全体を制御するとあり、上記（１）キには、「パネル・アプリケーション４０７」は複合機１０２上で実行されることが記載されてから、複合機１０２のＣＰＵ３０１は、「パネル・アプリケーション」を実行することが記載されている。
（９−１）上記（１）キには、パネル・アプリケーション４０７は、「プリントサーバ１０１上のジョブ管理サービス４０３へ対し印刷ジョブ一覧を要求する」こと、受信した「印刷データ一覧を操作部３０８のＵＩ上に表示する」ことが記載されている。
　上記（１）シには、「印刷ジョブの選択とプリントするボタン１４２２の押下をユーザから受け付ける」ことが記載されている。
　上記（１）キ及びシを総合すると、パネル・アプリケーション４０７は、「前記プリントサーバへ印刷ジョブ一覧を要求し、前記プリントサーバから前記印刷ジョブ一覧を受信すると、前記印刷ジョブ一覧を操作部に表示し、印刷ジョブの選択及び印刷指示をユーザから受け付ける処理」を実行することが記載されている。
（９−２）上記（１）シには、パネル・アプリケーション４０７は、「印刷設定情報の変更画面（図１６（ａ））を操作部３０８の表示部に表示」し、「印刷設定情報の変更をユーザから受け付ける」こと、印刷設定情報が変更された場合は、「ジョブ管理サービス４０３へ印刷設定情報を送信する」処理を実行することが記載されている。上記（１）クには、「ユーザにより、印刷ジョブが選択され、印刷設定情報の変更指示、及び印刷指示がなされると、パネル・アプリケーション４０７は、該選択された印刷ジョブの印刷設定情報をジョブ管理サービス４０３に送信する」ことが記載されている。
　上記（１）ク及びシを総合すると、パネル・アプリケーション４０７は、「印刷設定情報の変更画面を前記操作部に表示し、前記印刷設定情報の変更を受け付ける処理と、前記プリントサーバへ前記変更された印刷設定情報（ＧＵＩＤ、部数、両面、カラーモード、ページ集約、複合機のモデル名）を送信する処理」を実行することが記載されている。
（９−３）上記（１）ケには、パネル・アプリケーション４０７は、「ジョブ管理サービス４０３に対し印刷要求（出力指示）を行う」ことが記載されている。
　上記（１）セには、パネル・アプリケーション４０７は、「選択済みの印刷ジョブのＧＵＩＤと複合機１０２のモデル名も併せて送信する」ことが記載されている。
　上記（１）ケ及びセを総合すると、パネル・アプリケーション４０７は、「前記プリントサーバへ前記印刷ジョブのＧＵＩＤと前記複合機のモデル名も併せた印刷指示を行う処理」を実行することが記載されている。
（１０）甲第１号証に記載された発明
　以上により、甲第１号証には、次の発明（以下、「甲１発明１」〜「甲１発明３」という。）が記載されていると認められる。
　なお、符号（１ａ）〜（３ｇ）は、当審において付与したものであり、以下、構成１ａ〜構成３ｇと称する。
「甲１発明１」
（１ａ）プリントサーバと複合機を含むプリントシステムがローカルエリアネットワーク（ＬＡＮ）を介して接続される構成のプリントシステムにおいて、
　前記複合機は、
（１ｂ）システム全体を制御するＣＰＵと、
（１ｃ）タッチパネルを有する表示部を備え、該表示部に表示されたボタンを、ユーザが押下することにより、各種指示を行うことができる操作部と、
（１ｄ）前記プリントサーバからＰＤＬジョブを受信するネットワークインタフェースと、
（１ｅ）前記ＰＤＬジョブを一時記録するＲＡＭと、
（１ｆ）前記ＰＤＬジョブに基づいたビットマップイメージを出力するプリンタと、を備え、
　前記複合機のＣＰＵは、
　パネル・アプリケーションを実行し、前記パネル・アプリケーションは、
（１ｇ）前記プリントサーバへ印刷ジョブ一覧を要求し、前記プリントサーバから前記印刷ジョブ一覧を受信すると、前記印刷ジョブ一覧を操作部に表示し、印刷ジョブの選択及び印刷指示をユーザから受け付ける処理と、
（１ｈ）印刷設定情報の変更画面を前記操作部に表示し、前記印刷設定情報の変更を受け付ける処理と、前記プリントサーバへ前記変更された印刷設定情報（ＧＵＩＤ、部数、両面、カラーモード、ページ集約、複合機のモデル名）を送信する処理と、
（１ｉ）前記プリントサーバへ前記印刷ジョブのＧＵＩＤと前記複合機のモデル名も併せた印刷指示を行う処理と、を実行し、
　前記プリントサーバは、
（１ｊ）ネットワークを介して外部機器と接続・通信し、ネットワークでの通信制御処理を実行する通信Ｉ／Ｆコントローラと、
（１ｋ）システムバスに接続される各デバイスやコントローラを統括的に制御するＣＰＵと、を備え、
　前記プリントサーバのＣＰＵは、
　ジョブ管理サービスを実行し、前記ジョブ管理サービスは、
（１ｌ）特定の複合機に依存しない中間形式の印刷ジョブを所定の格納場所に保存し、ジョブ管理ＤＢに前記印刷ジョブのＧＵＩＤと印刷設定情報を登録する処理と、
（１ｍ）前記印刷ジョブ一覧要求を受信することで、前記印刷ジョブ一覧を生成し、前記複合機へ前記印刷ジョブ一覧を返信する処理と、
（１ｎ）前記複合機から前記変更された印刷設定情報を受信し、前記ジョブ管理ＤＢに登録している印刷設定情報を受信した前記変更された印刷設定情報に変更する処理と、
（１ｏ）前記複合機から前記印刷指示と前記印刷ジョブのＧＵＩＤと前記複合機のモデル名を受信すると、前記印刷ジョブに対するＰＤＬ変換処理の指示をプリンタドライバへ行い、前記印刷ジョブと前記ジョブ管理ＤＢに登録している印刷設定情報をレンダリングして印刷処理を実行し、
（１ｐ）前記印刷ジョブを前記複合機が印刷可能な形式のＰＤＬジョブに変換するＰＤＬ変換処理と、前記ＰＤＬジョブを前記複合機に送信する処理を実行するプリンタドライバと、
　を備えるプリントシステム。
「甲１発明２」
（２ａ）プリントサーバと複合機を含むプリントシステムがローカルエリアネットワーク（ＬＡＮ）を介して接続される構成のプリントシステムの複合機において、
　前記複合機は、
（２ｂ）システム全体を制御するＣＰＵと、
（２ｃ）タッチパネルを有する表示部を備え、該表示部に表示されたボタンを、ユーザが押下することにより、各種指示を行うことができる操作部と、
（２ｄ）前記プリントサーバからＰＤＬジョブを受信するネットワークインタフェースと、
（２ｅ）前記ＰＤＬジョブに基づいたビットマップイメージを出力するプリンタと、を備え、
　前記ＣＰＵは、
　パネル・アプリケーションを実行し、前記パネル・アプリケーションは、
（２ｆ）前記プリントサーバへ印刷ジョブ一覧を要求し、前記プリントサーバから前記印刷ジョブ一覧を受信すると、前記印刷ジョブ一覧を操作部に表示し、印刷ジョブの選択及び印刷指示をユーザから受け付ける処理と、
（２ｇ）印刷設定情報の変更画面を前記操作部に表示し、前記印刷設定情報の変更を受け付ける処理と、前記プリントサーバへ前記変更された印刷設定情報（ＧＵＩＤ、部数、両面、カラーモード、ページ集約、複合機のモデル名）を送信する処理と、
（２ｈ）前記プリントサーバへ前記印刷ジョブのＧＵＩＤと前記複合機のモデル名も併せた印刷指示を行う処理と、を実行し、
（２ｉ）前記ＣＰＵは、プリンタへプリント動作の起動を指示する処理と、を実行する複合機であって、
　ここで、前記プリントサーバは、
（２ｊ）特定の複合機に依存しない中間形式の印刷ジョブを所定の格納場所に保存し、ジョブ管理ＤＢに前記印刷ジョブのＧＵＩＤと印刷設定情報を登録する処理と、
（２ｋ）前記印刷ジョブ一覧要求を受信することで、前記印刷ジョブ一覧を生成し、前記複合機へ前記印刷ジョブ一覧を返信する処理と、
（２ｌ）前記複合機から前記変更された印刷設定情報を受信し、前記ジョブ管理ＤＢに登録している印刷設定情報を受信した前記変更された印刷設定情報に変更する処理と
（２ｍ）前記複合機から前記印刷指示と前記印刷ジョブのＧＵＩＤと前記複合機のモデル名を受信すると、前記印刷ジョブに対するＰＤＬ変換処理の指示をプリンタドライバへ行い、前記印刷ジョブと前記ジョブ管理ＤＢに登録している印刷設定情報をレンダリングして印刷処理と、
（２ｎ）前記印刷ジョブを前記複合機が印刷可能な形式のＰＤＬジョブに変換するＰＤＬ変換処理と、前記ＰＤＬジョブを前記複合機に送信する処理と、を実行する
　プリントシステムの複合機。
「甲１発明３」
（３ａ）プリントサーバと複合機を含むプリントシステムがローカルエリアネットワーク（ＬＡＮ）を介して接続される構成のプリントシステムのプリントサーバにおいて、
　前記プリントサーバは、
（３ｂ）前記複合機へＰＤＬジョブを送信する通信Ｉ／Ｆコントローラと、
（３ｃ）システムバスに接続される各デバイスやコントローラを統括的に制御するＣＰＵと、を備え、
　前記プリントサーバのＣＰＵは、
　ジョブ管理サービスを制御し、前記ジョブ管理サービスは、
（３ｄ）特定の複合機に依存しない中間形式の印刷ジョブを所定の格納場所に保存し、ジョブ管理ＤＢに前記印刷ジョブのＧＵＩＤと印刷設定情報を登録する処理と、
（３ｅ）前記複合機から前記変更された印刷設定情報を受信し、前記ジョブ管理ＤＢに登録している印刷設定情報を受信した前記変更された印刷設定情報に変更する処理と、
（３ｆ）前記複合機から前記印刷指示と前記印刷ジョブのＧＵＩＤと前記複合機のモデル名を受信すると、前記印刷ジョブに対するＰＤＬ変換処理の指示をプリンタドライバへ行い、前記印刷ジョブと前記ジョブ管理ＤＢに登録している印刷設定情報をレンダリングして印刷処理を実行し、
（３ｇ）前記印刷ジョブを前記複合機が印刷可能な形式のＰＤＬジョブに変換するＰＤＬ変換処理と、前記ＰＤＬジョブを前記複合機に送信する処理を実行するプリンタドライバと、
　を備えるプリントシステムのプリントサーバ。
４．２　甲第２号証
　甲第２号証には、図面とともに以下の事項が記載されている。なお、下線は当審において付与した。
「【発明の詳細な説明】
【０００１】
【発明の属する技術分野】
本発明は、カラーデジタル複写機など、画像データの展開されるページメモリを用いて各種の機能を実現する
画像処理装置に関する
【００２２】
上記発明によれば、
カラー画像を扱う場合は、色別に画像データをページメモリ（１０４ａ）に格納するので、それだけページメモリ（１０４ａ）の容量不足が発生しやすく
【００４１】
また画像処理部１０２は、ページメモリ１０４ａを用いて画像処理することにより各種の応用機能を実現する。たとえば、
「８ｉｎ１機能」、「４ｉｎ１機能」、「オーバーレイ機能」、「スタンプ機能」などを実現する。
【００４４】
ページメモリ容量検知手段１１１は、電源オン時の立ち上げ処理で、ページメモリ１０４ａが搭載される予定のアドレス空間の各所に所定のデータを書き込んだ後に読み出してこれらを照合する処理を実施し、
搭載されているページメモリ１０４ａの容量を検知する
【００４６】
図４は、応用機能選択画面３００の一例を示している。図示省略の操作画面において応用機能の選択釦を操作すると応用機能選択画面３００が表示される。図４は、
ページメモリ１０４ａの容量が充分あってすべての機能１〜機能９にかかわる選択釦３０１〜３０９が選択可能に表示された状態を示している。
【００４９】
図５は、
現在搭載されているページメモリ１０４ａの容量で実施可能な機能にかかわる選択釦のみが表示された応用機能選択画面３１０
　以上の記載から、甲第２号証には、以下の技術事項が記載されていると認められる。
（甲２号証に記載の技術事項）
「画像処理装置において、（ア）カラー画像がモノクロ画像よりも画像サイズが大きく、（イ）「８ｉｎ１機能」、「４ｉｎ１機能」、「オーバーレイ機能」、「スタンプ機能」などの全ての機能を実行するために必要なメモリ容量があれば全ての機能に関わる選択釦を選択可能に表示し、全ての機能を実行するために必要なメモリ容量がなければページメモリの容量で実施可能な機能にかかわる選択釦のみを表示する技術」
４．３　甲第３号証
　甲第３号証には、図面とともに以下の事項が記載されている。なお、下線は当審において付与した。
「【発明の詳細な説明】
【０００１】
【発明の属する技術分野】本発明は
画像印刷装置
【０１６３】図２６は、編集入力用モニタ３１に表示される画像編集画面の例を示す図である。図２６Ａにおいて、画像編集画面１３０は、基本的に、編集対象画像を表示する画像表示欄１３１、ユーザが編集に使用する色を選択する色選択欄１３２、ユーザが操作することにより、入力ツール（書き込みツール）としてペンを選択するペンボタン１３３、ユーザが操作することにより、入力ツールとして文字スタンプを選択する文字スタンプボタン１３４、ユーザが操作することにより、入力ツールとして絵柄スタンプを選択する絵柄スタンプボタン１３５、および、ユーザが操作することにより、入力ツールとして消しゴムを選択する消しゴムボタン１３６により構成される。また、ステップＳ６４において、CPU１０１により
特殊印刷用のインクがあると判定されているので、色選択欄１３２には、ユーザが操作することにより、特殊印刷されるインクの色である金色を選択する金色選択ボタン１３２Ａが表示される。
【０１６９】また、ステップＳ６４において、
特殊印刷用のインクがないと判定した場合、CPU１０１は、ステップＳ７１に進み、特殊色アイテムを非表示にし
　以上の記載から、甲第３号証には、以下の技術事項が記載されていると認められる。
（甲３号証に記載の技術事項）
「画像印刷装置において、特殊印刷用のインクがないことで特殊印刷用の画像形成能力がないと判断された場合、特殊色アイテムを非表示にする技術」
４．４　甲第４号証
　甲第４号証には、図面とともに以下の事項が記載されている。なお、下線は当審において付与した。
「【発明の詳細な説明】
【０００１】
【発明の属する技術分野】本発明は、
ネットワーク上のコンテンツを印刷するための印刷システム
【０００８】そこで、本発明は、上述した問題点を解決するためになされた印刷システム、及び、電子機器、記憶媒体であって、
サーバに要求することによりサーバから送信されたネットワーク上のコンテンツをクライアント側の電子機器が印刷手段で印刷する場合に、当該クライアント側の電子機器の印刷手段の仕様に合ったものをサーバに送信させる
クライアント側の電子機器の印刷手段に適した印刷を可能にすることを課題とする。
【００６６】次に、本実施の形態の印刷システムについて説明する。図９に、本実施の形態の印刷システム３０１の概念図を示す。本実施の形態の特定機能代行システム３０１では、図９に示すように、
クライアントの印刷装置３０２と、中継サーバ３０３と、Ｗｅｂサイト３０４とが、ＷＷＷのネットワークを介して接続されている。
【００６７】そして、本実施の形態の印刷システム３０１では、図１０〜図１７のフローチャートに従って動作することにより、中継サーバ３０３に要求することにより中継サーバ３０３から送信されたＷＷＷ上のコンテンツをクライアントの印刷装置３０２で印刷する場合に、当該クライアントの印刷装置３０２の仕様に合ったものを中継サーバ３０３に送信させており、当該クライアントの印刷装置３０２に適した印刷が可能である。すなわち、図１０に示すように、Ｓ２０１において、クライアントが、ＷＷＷ上のコンテンツをリクエストすると、Ｓ３０１において、中継サーバ３０３は、クライアントのリクエストを受け付ける。さらに、Ｓ２０２において、
クライアントが、印刷情報（印刷装置３０２の仕様）を通知すると
中継サーバ３０３は、印刷情報（印刷装置３０２の仕様）を識別する。
【００６８】この点、クライアントのリクエストや印刷情報は、ＵＲＬを介して、サーバ３０３やコンテンツを特定し、ＨＴＴＰのプロトコルで記載された「アドレス情報」や「仕様情報」として送信する。尚、それらの操作は、図４の操作キー２７０を用いて行われる。また、
印刷情報（印刷装置３０２の仕様）には、例えば、解像度、用紙サイズ、カラー・モノクロ、メモリ容量、プリンタ記述言語、読取装置の有無などがある。
【００６９】その後、中継サーバ３０３では、Ｓ３０３において、ＵＲＬで指定されたコンテンツのデータをＷｅｂサイト３０４に要求し、Ｓ３０４において、
Ｗｅｂサイト３０４から当該コンテンツのデータを取得すると、
印刷情報（印刷装置３０２の仕様）に基づいて当該コンテンツのデータをレンダリング及びフォーマット変換し、
印刷データとして、クライアントの印刷装置３０２に送信する。
【００７９】また、Ｓ３２４のプリンタ記述言語の選定について説明すると、Ｓ３２４のプリンタ記述言語の選定では、図１７に示すように、Ｓ３６１において、クライアントの印刷装置３０２のプリンタ記述言語の一つを、印刷情報（印刷装置３０２の仕様）の一仕様要素を構成するプリンタ記述言語のリストから取り出し、Ｓ３６２において、中継サーバ３０３自身でサポートされたものであるか否かを判断する。ここで、
中継サーバ３０３自身でサポートされたものであると判断した場合
当該プリンタ記述言語を変換言語として設定し
中継サーバ３０３自身でサポートされたものでないと判断した場合
印刷不可とし
　以上の記載から、甲第４号証には、以下の技術事項が記載されていると認められる。
（甲第４号証に記載の技術事項）
「ネットワーク上のコンテンツを印刷する印刷システムにおいて、印刷装置の仕様にはカラー・モノクロ、メモリ容量、プリンタ記述言語があり、中継サーバは取得したコンテンツのデータを前記印刷装置の仕様に基づいてレンダリング及びフォーマット変換して、印刷データとして印刷装置に送信する技術」
４．５　甲第５号証
　甲第５号証には、図面とともに以下の事項が記載されている。なお、下線は当審において付与した。
「【発明の詳細な説明】
【０００１】
【発明の属する技術分野】本発明は、
画像出力装置
【００５１】ホストコンピュータ３０００のユーザは、ダイアログボックス６００をキーボード９や不図示のポインティングデバイスを操作することにより、所望の印刷条件を設定することができる。
ユーザは、ダイアログボックスにより印刷の際の解像度を選択することができる。解像度には、「高解像度」、「中解像度」、「ドラフト」の３つのモードが含まれ、
【００６１】ステップＳ８０２では、
描画部５０４により、７５ｄｐｉの画像を描画するために必要な容量の描画領域をＲＡＭ１９上に確保し
後続の制御コマンド（描画命令）に基づいて７５ｄｐｉのビットマップ画像（印刷結果が７５ｄｐｉの画像になるような画素数の画像）を描画する。
【００６３】一方、ステップＳ８０１において、通常モードであると判定した場合にはステップＳ８０７に進み、
描画部５０４により、６００ｄｐｉの画像を描画するために必要な容量の描画領域をＲＡＭ１９上に確保し、そこに、ステップＳ８０８において、後続の制御コマンド（描画命令）に基づいて６００ｄｐｉのビットマップ画像を描画する。
　以上の記載から、甲第５号証には、以下の技術事項が記載されていると認められる。
（甲第５号証に記載の技術事項）
「画像出力装置において、印刷設定に解像度に関する情報が含まれ、画像サイズを解像度が低いほど小さいサイズに決定する技術」
４．６　甲第６号証
　甲第６号証には、図面とともに以下の事項が記載されている。なお、下線は当審において付与した。
「【発明の詳細な説明】
【技術分野】
【０００１】
　本発明は、プルプリントシステム、データ処理装置、データ処理プログラム、及び
印刷装置
【００５４】
　（３−２）プルプリント処理
　ＰＣ３０及びサーバ１０に中間ファイル記憶処理を実行させた後、ユーザはそのＰＣ３０を携帯せずにプリンタ２０の位置に移動する。プリンタ２０は例えばプルプリントサービスを提供する店舗などの外部拠点に設置されたものであり、その
プリンタ２０はユーザが想定していた印刷機能を備えない場合もありうる。このようなプリンタ２０のいずれかで、ユーザが操作部２３を操作してプルプリント要求を入力すると
サーバ１０に記憶されている中間ファイルを当該プルプリント要求が入力されたプリンタ２０に送信して実行するプルプリント処理が開始される。
【００６０】
　Ｓ２０８では、
プルプリントデーモン４５は受信したジョブ選択情報によって示されるジョブ情報の中から一つを選択する。
　Ｓ２０９では、プルプリントデーモン４５はＳ２０８で選択した
ジョブ情報に対応するファイル書き込みパスをジョブ情報テーブルから取得し、取得したファイル書き込みパスによって特定される中間ファイルから印刷設定を読み出す。
【００６１】
　Ｓ２１０では、
プルプリントデーモン４５は、読み出した印刷設定と、Ｓ２０２でプリンタ制御プログラム４７から受信した機能情報４８とを比較して、中間ファイルの印刷設定と当該プリンタ２０の印刷機能とが整合するか否かを判断する。
【００６３】
　Ｓ２１１では、
プルプリントデーモン４５は中間ファイルの印刷設定が当該プリンタ２０の印刷機能と整合するように修正するための整合情報を生成する。
　具体的には例えば、上述した「Ａ４、両面、カラー」の例でいうと、プルプリントデーモン４５は「両面印刷はできません。カラー印刷はできません」という情報を整合情報として生成する。つまり、本実施形態において整合情報とは、印刷設定に含まれている設定値のうちプルプリント要求が入力されたプリンタ２０の印刷機能と整合しない設定値を示す情報であるといえる。（略）
【００６６】
　Ｓ２１５では、
プリンタ制御プログラム４７はユーザに修正情報を入力させる。
　具体的には例えば、Ｓ２１３で操作部２３に「両面印刷はできません。カラーの印刷はできません」という整合情報が表示されたとすると、ユーザは印刷設定がプリンタ２０の印刷機能と整合するようにするために、「片面／両面」の設定値として「片面」を指定し、「カラー／モノクロ」の設定値として「モノクロ」を指定する。これにより、「片面／両面＝片面、カラー／モノクロ＝モノクロ」という修正情報が入力される。
【００６７】
　なお、上述した例は一例であり、例えば
印刷設定でＡ３が設定されていてプリンタ２０の印刷機能がＡ３に対応していない場合に、ページデータが表す画像を縮小してＡ４の被記録媒体に印刷する
　以上の記載から、甲第６号証には、以下の技術事項が記載されていると認められる。
（甲第６号証に記載の技術事項）
「プルプリントシステムの印刷装置において、プリンタのプリンタ制御プログラムは、印刷設定でＡ３が設定されていてプリンタの印刷機能がＡ３に対応していない場合に、ページデータが表す画像を縮小してＡ４の被記録媒体に印刷するよう修正する技術」
４．７　甲第７号証
　甲第７号証には、図面とともに以下の事項が記載されている。なお、下線は当審において付与した。
「【発明の詳細な説明】
【技術分野】
【０００１】
　本発明は、印刷クライアントアプリケーションを有するクライアント端末と、
印刷先プリンタを指定せず印刷可能なプリントサーバと、プルプリント機能を有するプリンタとがネットワークで接続されたネットワーク印刷システム
【００５４】
　
プリントサーバ４１１は
印刷ジョブ情報要求およびプルプリント印刷データ取得要求の受信処理、印刷ジョブの生成、
の管理を行うための印刷ジョブ管理手段４１２と
１つまたは複数のプリンタドライバ４１５とから構成される。
【００５９】
　
プリンタドライバ４１５はプルプリント時に使用され、
２値のラスター形式のビットマップデータに変換し、このビットマップデータからプリンタコマンドを生成する。
【０１０３】
　
プリンタドライバパラメータ情報は、印刷元データがプリンタドライバによってプリンタコマンドに変換される際に必要なパラメータであり、用紙サイズ、マージン、印刷部数、印刷品位（解像度）やその他の印刷設定情報から構成される。
【０１１９】
　Ｓ７０６で対応するプリンタドライバ４１５が存在する場合は、Ｓ７０７で
プルプリント印刷ジョブ情報１２０１の中間印刷データおよびプルプリント印刷データ取得情報１２０１のプリンタドライバパラメータ情報をプリンタドライバ４１１に送信し中間印刷データからプリンタコマンドを生成、生成したプリンタコマンドをプルプリント印刷データ取得要求発行元プリンタ４０３にネットワーク通信手段４１６を介して送信するＳ７１０。
　以上の記載から、甲第７号証には、以下の技術事項が記載されていると認められる。
（甲第７号証に記載の技術事項）
「プリントサーバとプリンタとがネットワークで接続されたネットワーク印刷システムにおいて、（ア）前記プリントサーバのプリンタドライバは、ＲＧＢフルカラーで多値のビットマップデータである中間印刷データから、変倍処理、ハーフトーン処理、補色変換、２値化処理等によりイエロー、マゼンダ、シアン、ブラックの２値のラスター形式のビットマップデータに変換し、このビットマップデータとプリンタドライバパラメータ情報からプリンタコマンドを生成し、生成したプリンタコマンドをプリンタに送信し、（イ）前記プリンタドライバパラメータ情報は、用紙サイズ、マージン、印刷部数、印刷品位（解像度）やその他の印刷設定情報から構成される技術」
４．８　甲第８号証
　甲第８号証には、図面とともに以下の事項が記載されている。なお、下線は当審において付与した。
「【発明の詳細な説明】
【技術分野】
【０００１】
　本発明は、
画像形成装置から印刷対象データを取得して印刷する
画像形成装置
【００１９】
　ネットワーク接続手段を備える一般的な情報処理装置（コンピュータ）により構成されるクライアントＰＣ１０１のアプリケーションにて印刷が指示されるとクライアントＰＣ１０１に導入された
プリンタドライバにて特定のプリンタに依存しないページ記述言語による汎用印刷データ（ＰＤＦ：Ｐｏｒｔａｂｌｅ　Ｄｏｃｕｍｅｎｔ　Ｆｏｒｍａｔ、など）が作成され
プリントサーバ１０２に格納される。
【００５８】（略）
続けてユーザが画像形成装置１０４（１）の操作部３０９が表示する画面から分散先プリンタ（Ｘ）を選択し、分散先プリンタ（Ｘ）での認証方法として、特定のユーザのユーザＩＤ、もしくはユーザの属するグループ、もしくは文書ＩＤで認証する方法から認証方法を選択してから分散印刷を指示すると、印刷依頼処理部４４２がネットワーク１００を介してプリントサーバ１０２の印刷要求処理部４１７と通信することにより、印刷要求処理部４１７が画像形成装置１０４（１）および分散先に指定された画像形成装置１０４（Ｘ）のプリンタドライバ情報を画像形成装置情報記憶部４１５より取得し、
それぞれの画像形成装置用に登録されたプリンタドライバである印刷データ変換処理部４１８を起動
印刷データ変換処理部４１８は印刷データ情報記憶部４１２に記憶された該印刷データ情報を取得して汎用印刷データから該当の画像形成装置１０４に適したＰＤＬデータを作成し、作成されたＰＤＬデータを含む印刷データ情報は印刷データ送信処理部４１９により分散印刷を依頼した元の画像形成装置１０４（１）の印刷データ受信処理部４４３および分散先の画像形成装置１０４（Ｘ）の印刷データ受信処理部４４３に対して送信される。
【００６８】
　
印刷体裁情報５０４は、
画像形成装置１０４から指定される、印刷用紙サイズ、色区分、印刷面などの印刷時のパラメータを格納するもの
設定された印刷体裁に従って汎用印刷データからＰＤＬデータが作成される。
　以上の記載から、甲第８号証には、以下の技術事項が記載されていると認められる。
（甲第８号証に記載の技術事項）
「プリントサーバと画像形成装置とがネットワークで接続されたシステムにおいて、（ア）前記プリントサーバのプリンタドライバである印刷データ変換処理部は、汎用印刷データから該当の画像形成装置に適したＰＤＬデータを作成し、作成されたＰＤＬデータを含む印刷データ情報を依頼した元の画像形成装置に送信し、（イ）前記印刷体裁情報は、画像形成装置から指定される、印刷用紙サイズ、色区分、印刷面などの印刷時のパラメータであり、ここに設定された印刷体裁に従って汎用印刷データからＰＤＬデータが作成される技術」
４．９　甲第９号証
　甲第９号証には、図面とともに以下の事項が記載されている。なお、下線は当審において付与した。
「【発明の詳細な説明】
【０００１】
【発明の属する技術分野】
本発明は、印刷クライアントアプリケーションを有するクライアント端末と、印刷先プリンタを指定しないで印刷可能なプリントサーバと、
プルプリント機能を有するプリンタとがネットワークで接続されたネットワーク印刷システム
【００１９】
ホームゲートウェイ４０２は
印刷ジョブ管理手段４０４
プリンタドライバ４０７、通信手段４０８から構成される。印刷ジョブ管理手段４０４はプリントキュー上の印刷ジョブの管理を行う。
【００２１】
通常、プリントキュー４０５は、クライアント４０１が出力先プリンタを選択してから印刷を要求するときに生成される印刷ジョブ情報を格納するためのプリントキューであり、プル専用プリントキュー４０６は、クライアント４０１が出力先プリンタを選択せずに印刷を要求するときに生成される印刷ジョブ情報を格納するためのプリントキューである。
プリンタドライバ４０７は、クライアント４０１で生成された出力先プリンタに依存しない多値のビットマップデータを、出力先プリンタに依存したラスター形式の２値のビットマップデータに変換を行う
【００２７】
図６を用いて、本印刷システムにおいてプリンタからのジョブ取得要求時に発行される印刷ジョブ取得要求について説明する。
印刷ジョブ取得要求は、プリンタ名領域６０１、
印刷設定情報領域６０３から構成される。
【００２８】
プリンタ名領域６０１にはプリンタ名が書き込まれ、ネットワークアドレス領域６０２にはプリンタのネットワークアドレスが書き込まれ、
印刷設定領域６０３には印刷品位、印刷用紙サイズ等の印刷設定情報が書き込まれる。
【００３９】
印刷ジョブ情報で指定された印刷データがクライアント４０１に存在しない場合、ステップ１００６においてプリンタ４０３のメッセージ表示部に印刷データが存在しません等のメッセージを表示し、この処理を終了する。印刷データが存在する場合は、ステップ１００５において、
印刷ジョブ取得要求の印刷設定情報領域６０３に書き込まれた設定で、ドライバにより出力先プリンタに対応したデータに変換が行われ、ネットワーク４１３を介してプリンタ４０３より出力される。
　以上の記載から、甲第９号証には、以下の技術事項が記載されていると認められる。
（甲第９号証に記載の技術事項）
「プリントサーバとプリンタとがネットワークで接続されたネットワーク印刷システムにおいて、（ア）前記プリントサーバのプリンタドライバは、出力先プリンタに依存しない多値のビットマップデータを、印刷ジョブ取得要求の印刷設定情報の設定で、出力先プリンタに依存したラスター形式の２値のビットマップデータに変換を行い、プリンタに出力し、（イ）前記印刷設定情報は、印刷品位、印刷用紙サイズである技術」
４．１０　甲第１０号証
　甲第１０号証には、図面とともに以下の事項が記載されている。なお、下線は当審において付与した。
「【発明の詳細な説明】
【０００１】
【発明の属する技術分野】本発明は、ネットワーク環境にて用いられるもので、記録用紙等への画像出力を指示するホスト装置、および、その
ホスト装置からの指示に従って画像出力を行う印刷装置
【００１５】この
ホスト装置１０は
ホスト装置１０では、
プリントマネージャ１１、プリンタドライバ１２
機能を有している。
【００２０】
プリンタドライバ１２は
印刷装置２０での印刷出力が可能な種類のプリントデータを生成する
取得したドキュメント情報を、印刷装置２０が対応する形式（種類）のプリントデータに変換する
【００２１】
プリント命令生成部１３は
プリント命令のパケットを生成する
プリントデータの印刷条件を特定するためのプリントパラメータ１６ｂおよび印刷装置２０での出力のためにプリンタドライバ１２が生成したプリントデータ１６ｃから構成されている。
印刷条件としては、例えば、印刷部数、いわゆるＮｕｐ等の縮小印刷指定、いわゆるポスター印字等の拡大分割印刷指定、印字品質、印字解像度などがある。
【００４７】印字可能であれば、プリントマネージャ１１は、そのドキュメント情報を印刷装置２０に出力させるべく、プルプリント命令を発行する（Ｓ２０６）。一方、
印字が不可能な場合には、プリントマネージャ１１は
プリンタドライバ１２またはそのドキュメント情報に対応するアプリケーションプログラムにより、印刷装置２０が印字可能なプリントデータへの変換処理を行って
そのプリントデータを印刷装置２０に出力させるべく、プリント命令を発行する（Ｓ２０９）。
　以上の記載から、甲第１０号証には、以下の技術事項が記載されていると認められる。
（甲第１０号証に記載の技術事項）
「ホスト装置と印刷装置とがネットワークで接続されたネットワーク環境において、（ア）前記ホスト装置のプリンタドライバは、ドキュメント情報を印刷装置での印刷出力が可能な種類のプリントデータに変換し、プリントパラメータと変換したプリントデータから構成されるプリント命令のパケットを印刷装置に発行し、（イ）前記プリントパラメータが特定する印刷条件は、印刷部数、Ｎｕｐ等の縮小印刷指定、ポスター印字等の拡大分割印刷指定、印字品質、印字解像度などがある技術」
５　判断
５．１　特許法第２９条第１項第３号（新規性）について
　訂正後の請求項９〜１２、１６〜１８、２１に係る発明（本件発明９〜１２、１６〜１８、２１）の新規性について検討する。
５．１．１　本件発明９について
５．１．１．１　甲１発明１との対比
　本件発明９と甲１発明１とを対比すると、以下のとおりである。
（１）「画像形成装置」、「サーバ」、「画像形成システム」
　構成１ａの「複合機」は、プリンタを備えるから、構成９Ａの「画像形成装置」に相当する。
　構成１ａの「プリントサーバ」は、ローカルエリアネットワーク（ＬＡＮ）を介して接続される構成において、複合機と通信を行うから、構成９Ａの「サーバ」に相当する。
　構成１ａの「プリントシステム」は、プリントサーバと複合機を含むシステムであって、「複合機」によってビットマップイメージを出力するから、構成９Ａの「画像形成システム」に相当する。
（２）「画像データ」、「変換データ」
　構成１ｌの「特定の複合機に依存しない中間形式の印刷ジョブ」は、プリントサーバの所定の格納場所に保存し、構成１ｇでユーザが選択し印刷指示を受けるものであるから、印刷対象となるものといえる。
　そして、甲１発明１の「特定の複合機に依存しない中間形式の印刷ジョブ」には、画像データを印刷する印刷ジョブが含まれることが想定されることから、本件発明９の「画像データ」と、甲１発明１の「特定の複合機に依存しない中間形式の印刷ジョブ」とは、「印刷対象データ」である点で共通する。
　また、構成１ｄ、構成１ｅ、構成１ｆ及び構成１ｐの「ＰＤＬジョブ」は、構成１ｐのＰＤＬ変換処理によって生成される「複合機が印刷可能な形式のＰＤＬジョブ」であり、変換処理されたものといえる。
　そして、甲１発明１の「ＰＤＬジョブ」にも、画像データを印刷するＰＤＬジョブが含まれることが想定されることから、本件発明９の「画像データから画像サイズが変換された変換データ」と、甲１発明１の「ＰＤＬジョブ」とは、「変換処理後データ」である点で共通する。
　しかしながら、「印刷対象データ」及び「変換処理後データ」について、本件発明９は「画像データ」及び「画像データから画像サイズが変換された変換データ」であるのに対して、甲１発明１は「特定の複合機に依存しない中間形式の印刷ジョブ」及び「複合機が印刷可能な形式のＰＤＬジョブ」である点で相違する。
（３）「印刷設定」、「特有情報」
　構成１ｈ及び構成１ｎの「変更された印刷設定情報」は、複合機の「印刷設定情報の変更を受け付ける処理」によって受け付けられた情報であり、当該「変更された印刷設定情報」の中の「部数、両面、カラーモード、ページ集約」は、印刷ジョブの用紙への出力方法を指定する情報である。
　よって、構成１ｈの「変更された印刷設定情報」の中の「部数、両面、カラーモード、ページ集約」は、構成９Ｇの「印刷設定」に相当する。
　また、構成１ｈ及び構成１ｉの「複合機のモデル名」は、「複合機が有する情報」といえるから、構成１ｈの「変更された印刷設定情報」は、構成９Ｈの「印刷設定を含む特有情報」に相当する。
（４）「変換条件」
　構成１ｌ及び構成１ｎにおいてジョブ管理ＤＢに登録した「印刷設定情報」は、「ＧＵＩＤ、部数、両面、カラーモード、ページ集約、複合機のモデル名」であり、印刷指示を受け付けた印刷対象データである「特定の複合機に依存しない中間形式の印刷ジョブ」に対する構成１ｏの印刷処理に用いられる情報である。
　ここで、構成１ｌ及び構成１ｎの「印刷設定情報」と構成９Ｄ及び構成９Ｊの「画像サイズを変換させる条件である変換条件」とは、「印刷対象データ」を変換させる条件である「変換条件」である点で共通する。
　しかしながら、「変換条件」について、本件発明９は「画像データの画像サイズを変換させる条件」であるのに対して、甲１発明１は「画像サイズを変換させる条件」であるか特定がない点で相違する。
（５）サーバの「決定部」
　構成１ｋの「プリントサーバのＣＰＵ」が実行する「ジョブ管理サービス」は、構成１ｎの「前記ジョブ管理ＤＢに登録している印刷設定情報を受信した前記変更された印刷設定情報に変更する処理」を実行するものであって、当該「前記ジョブ管理ＤＢに登録している印刷設定情報」は構成１ｏの印刷処理に用いられるから、構成１ｎの「前記ジョブ管理ＤＢに登録している印刷設定情報を受信した前記変更された印刷設定情報に変更する処理」は、構成１ｏの印刷処理に用いられる印刷設定情報を決定しているといえる。
　よって、上記「変換条件」の相違を除いて、甲１発明１のサーバの「ＣＰＵ」は、印刷対象データを変換条件させる条件である「変換条件」を決定するから、本件発明９の「決定部」に相当する。
（６）サーバの「生成部」
　構成１ｐのプリントサーバの「プリンタドライバ」は、上記「印刷対象データ」である「特定の複合機に依存しない中間形式の印刷ジョブ」に対してＰＤＬ変換処理を実行して、上記「変換処理後のデータ」である「複合機が印刷可能な形式のＰＤＬジョブ」を生成するものである。
　そして、構成９Ｊのサーバの「生成部」は、上記（２）の「印刷対象データ」である「印刷対象の画像データ」を前記変換条件に従って変換し「変換データ」を生成するものである。
　よって、上記「印刷対象データ」、「変換処理後データ」及び「変換条件」の相違を除いて、本件発明９のサーバの「生成部」と、甲１発明１のプリントサーバの「プリンタドライバ」は、「印刷対象データ」から「変換処理後データ」を生成する「生成手段」である点で共通する。
　しかしながら、「生成手段」について、上記「印刷対象データ」、「変換処理後データ」及び「変換条件」の相違に伴って、本件発明９は、「生成部」が「画像データから画像サイズが変換された変換データを生成する」構成であるのに対して、甲１発明１はそのような構成を有していない点で相違する。
（７）サーバの「送信部」
　構成１ｊのプリントサーバの「通信Ｉ／Ｆコントローラ」は、ネットワークでの通信制御処理を実行し、上記（２）で検討した「変換処理後データ」を送信することは明らかであるから、構成９Ｋの「送信部」に相当する。
（８）画像形成装置の「選択部」、「要求部」、「受信部」、「記憶部」、「印刷部」及び「入力部」
　構成１ｂの「ＣＰＵ」は、パネル・アプリケーションを実行し、該パネル・アプリケーションはプリントサーバへ印刷ジョブ一覧を要求し、印刷ジョブの選択及び印刷指示をユーザから受け付ける処理を実行するから、構成９Ｂの「選択部」及び構成９Ｃの「要求部」に相当する。
　構成１ｄの「ネットワークインタフェース」は、ＰＤＬジョブを受信するから、構成９Ｄの「受信部」に相当する。
　構成１ｅの「ＲＡＭ」は、ＰＤＬジョブを一時記録するから、構成９Ｅの「記憶部」に相当する。
　構成１ｆの「プリンタ」は、ＰＤＬジョブを展開したビットマップイメージを出力するから、構成９Ｆの「印刷部」に相当する。
　構成１ｃの「操作部」は、印刷設定情報の変更を受け付けるから、構成９Ｆの「入力部」に相当する。
（９）一致点、相違点
　以上によると、一致点、相違点は次のとおりである。
（一致点）
　画像形成装置と、前記画像形成装置と通信を行うサーバとを備える画像形成システムにおいて、
　前記画像形成装置は、
　前記サーバに記憶されている印刷対象データのうち印刷対象の印刷対象データの選択を受け付ける選択部と、
　前記選択部によって選択された印刷対象データの送信を前記サーバに要求する要求部と、
　前記選択部によって選択された印刷対象データを変換条件に従って前記サーバによって変換された印刷対象データである変換処理後データを、前記サーバから受信する受信部と、
　前記受信部にて受信した変換処理後データを記憶する記憶部と、
　前記記憶部に記憶された変換処理後データに基づいて印刷を行う印刷部と、
　印刷設定を入力する入力部と、を備え、
　前記印刷設定を含む特有情報を前記サーバに送信し、
　前記サーバは、
　前記画像形成装置が有する前記特有情報であって、前記入力部によって入力された前記印刷設定が含まれる前記特有情報に基づいて、前記変換条件を決定する決定部と、
　前記要求部によって送信が要求された印刷対象データを前記変換条件に従って変換し、当該印刷対象データから変換された変換処理後データを生成する生成手段と、
　前記生成手段が生成した変換処理後データを、前記画像形成装置に送信する送信部と、 を備え、
　ことを特徴とする画像形成システム。
（相違点９−１）
　「印刷対象データ」及び「変換処理後データ」について、本件発明９は「画像データ」及び「画像データから画像サイズが変換された変換データ」であるのに対して、甲１発明１は「特定の複合機に依存しない中間形式の印刷ジョブ」及び「複合機が印刷可能な形式のＰＤＬジョブ」である点。
（相違点９−２）
　「変換条件」について、本件発明９は、「画像データの画像サイズを変換させる条件である変換条件」であるのに対して、甲１発明１は、画像サイズを変換させる条件であるか特定がない点。
（相違点９−３）
　「生成手段」について、上記「印刷対象データ」、「変換処理後データ」及び「変換条件」の相違に伴って、本件発明９では、「生成部」が「画像データから画像サイズが変換された変換データを生成する」構成であるのに対して、甲１発明１は、そのような構成を有していない点。
５．１．１．２　判断
　本件発明９と甲１発明１とは、上記のとおりの相違点を有するから、両者は同一であるとはいえない。
５．１．１．３　特許異議申立人の主張について
（１）特許異議申立人は、本件訂正１により訂正された事項について、平成３０年３月２２日付け意見書において、以下のとおり主張する。
ア　「甲１の段落００７６には、ＸＭＬ形式の印刷設定情報にページ集約に関する情報が含まれていると記載されている（略）。そして、プリントサーバ１０１が、ページ集約の設定値を含むＸＭＬ形式の印刷設定情報（略）に基づいてページ集約の設定値を含むＤＥＶＭＯＤＥ（略）を決定し、当該ＤＥＶＭＯＤＥとＥＭＦＳＰＯＯＬに基づいてＰＤＬ（略）を生成することが記載されているといえる。ここで、例えば、ＤＥＶＭＯＤＥのページ集約として２ｉｎ１が設定されていれば、用紙１ページに対して２ページ分の画像が印刷されるように画像サイズが縮小されたＰＤＬが生成され、ＤＥＶＭＯＤＥのページ集約として４ｉｎ１が設定されていれば、用紙１ページに対して４ページ分の画像が印刷されるように画像サイズが縮小されたＰＤＬが生成されることは明らかである（甲１の段落０００５、００７５）。よって（略）、甲１には、画像データの画像サイズを変換するための変換条件としてページ集約の設定値を含むＤＥＶＭＯＤＥが記載されている。」（平成３０年３月２２日付け意見書、第３頁第１３行〜第４頁第７行）
イ　「甲１には、ページ集約の設定値を含むＤＥＶＭＯＤＥに従ってＰＤＬを生成することが記載されているため、変換データが画像データの画像サイズが変換されたものであることに相当することが開示されているといえる。」（同第４頁第１０〜１３行）
ウ　「なお、甲１には、図１６（ａ）を使ってカラーまたはモノクロを設定できることも記載されている。つまり、例えば、クライアントＰＣ１００が図４に示す（１−２）において送信した印刷ジョブがカラーのデータであっても、図１６（ａ）においてモノクロが設定されれば、モノクロを含むＤＥＶＭＯＤＥに従って生成されたＰＤＬが、画像データの画像サイズ（データ量）が変換されたものであることに相当することは明らかである。」（同第４頁第１４〜１９行）
（２）上記特許異議申立人の主張について検討する。
（２−１）特許異議申立人が主張しているように、甲第１号証には、印刷設定情報に「カラーモード、ページ集約」が含まれること（上記４．１（１）シ【００７６】）、「印刷設定情報の変更を受け付ける処理」はカラーモード及びページ集約の指定を受け付けること（同【００７５】及び【図１６】（ａ））は記載されている。
　しかしながら、甲第１号証には、サーバの生成部である「プリンタドライバ」が実行するＰＤＬ変換処理は、「画像データから画像サイズが変換された変換データを生成する」ことや、「プリンタドライバ」は、印刷設定情報に含まれる「カラーモード、ページ集約」に従って、「画像データを印刷する印刷ジョブ」の画像データの画像サイズを変換することは記載されていない。
（２−２）また、特許異議申立人は、上記（１）アの主張において、甲第１号証の段落０００５（以下、「当該記載部分」という。）を引用しているので、この点を検討する。
　当該記載部分は、【発明が解決しようとする課題】として、従来提案されている「所謂「プルプリント」の印刷システム」（【０００２】）の課題を記載したものである（上記４．１（１）ア【０００５】）。
　そして、当該記載部分に記載された【発明が解決しようとする課題】は、「従来の方法では、ユーザが印刷装置からサーバ上に一時蓄積された印刷データに対して印刷要求を行う際に、印刷設定情報の変更を指示することが困難である」とし、具体例として、「ユーザが印刷装置からサーバ上に一時蓄積された印刷データに対して印刷要求を行う際に、４ページを１ページに割り付けるような印刷設定（以後、４ｉｎ１と称する）を指示した」とき、「サーバ上に一次蓄積される印刷データ、即ちＰＤＬが印刷装置の解像度に依存するラスタ形式であるなら、４ｉｎ１を実現するためにラスタ画像を縮小することになるので、細線の消失等、品質上の様々な問題が生じる。また、ＰＤＬは多種多様な仕様が存在するので、それら複数のＰＤＬに対応することは多大な労力を必要とする。そもそも、ＰＤＬの仕様が非公開であったら、ＰＤＬを変更することもできない」ことを課題とするものである。
　即ち、当該記載部分は、プルプリントの印刷システムにおいて、サーバに一次蓄積される印刷データに対する印刷要求を行う際の印刷設定情報の変更を指示することの困難性を記載するものであり、且つ、具体例として、印刷装置の解像度に依存するラスタ形式である場合の「ラスタ画像を縮小すること」の課題を記載しているものである。
　そして、当該記載部分には、印刷装置の解像度に依存するラスタ形式以外の印刷データについての記載はなく、甲第１号証の「プリンタドライバ」が「ページ集約」に従って印刷ジョブの画像データの画像サイズを変換することを明示するものではない。
　他方、甲第１号証に記載された発明は、当該記載部分に記載された【発明が解決しようとする課題】を解決するために、上記４．１（４）及び（１０）のとおり、プリントサーバは特定の複合機に依存しない中間形式の印刷ジョブを保存することとし、加えて、上記４．１（８）のとおり、複合機は「ＰＤＬコード等のベクトルデータをビットマップイメージに展開するラスタイメージプロセッサ（ＲＩＰ）３１０」を備えることとしている。
　このことからも、当該記載部分の記載から、プリントサーバが保存する印刷ジョブが、「印刷装置の解像度に依存するラスタ形式」であり、プリントサーバが「ラスタ画像を縮小する」ことが明らかとはいえない。
　よって、甲第１号証の「プリンタドライバ」が「ページ集約」に従って「画像データを印刷する印刷ジョブ」の画像データの画像サイズを変換することを明らかにするものとはいえない。
（２−３）また、上記４．２〜４．１０のとおり、サーバと画像形成装置とがネットワークで接続されたネットワーク印刷システムにおいて、サーバの生成手段であるプリンタドライバが、「画像データの画像サイズを変換させる条件である変換条件」に従って、「画像データから画像サイズが変換された変換データを生成する」構成は、甲第２号証〜甲第１０号証のいずれにも記載されておらず、当該構成が当業者にとって自明のものであるとも、周知技術であるともいえない。
（２−４）よって、甲１発明１において、「画像データから画像サイズが変換された変換データを生成する」構成が明らかであるとはいえず、また、当業者において自明のものであるともいえないから、特許異議申立人の主張を採用することはできない。
５．１．２　本件発明１０について
５．１．２．１　甲１発明１との対比
　本件発明１０と甲１発明１とを対比すると、以下のとおりである。
（１）上記５．１．１．１（１）〜（４）、（６）〜（８）と同じ一致点及び相違点を有する。
（２）画像形成装置の「決定部」
　上記５．１．１．１（５）のとおり、構成１ｎの「プリントサーバのＣＰＵ」が実行する「ジョブ管理サービス」は、構成１ｏの印刷処理に用いられる印刷設定情報を決定しているといえる。
　よって、本件発明１０と甲１発明１とは、上記「変換条件」の相違を除いて、「決定部」を備える点で共通する。
　しかしながら、「決定部」について、本件発明１０は画像形成装置が決定部を備え、前記決定部が決定した変換条件をサーバに送信する構成であるのに対して、甲１発明１はサーバが決定部を備える点で相違する。
（３）一致点、相違点
　以上によると、一致点、相違点は次のとおりである。
（一致点）
　画像形成装置と、 前記画像形成装置と通信を行うサーバとを備える画像形成システムにおいて、
　前記画像形成装置が有する特有情報であって、前記前記画像形成装置の入力部によって入力された印刷設定が含まれる前記特有情報に基づいて、変換条件を決定する決定部を備え、
　前記画像形成装置は、
　前記サーバに記憶されている印刷対象データのうち、印刷対象の印刷対象データの選択を受け付ける選択部と、
　前記選択部によって選択された印刷対象データの送信を前記サーバに要求する要求部と、
　前記選択部によって選択された印刷対象データを前記変換条件に従って前記サーバによって変換された印刷対象データである変換処理後データを、前記サーバから受信する受信部と、
　前記受信部にて受信した変換処理後データを記憶する記憶部と、
　前記記憶部に記憶された変換処理後データに基づいて印刷を行う印刷部と、
　印刷設定を入力する前記入力部と、を備え、
　前記サーバは、
　前記要求部によって送信が要求された印刷対象データを前記変換条件に従って変換し、当該印刷対象データから変換処理後データを生成する生成手段と、
　前記生成部が生成した変換処理後データを、前記画像形成装置に送信する送信部とを備え、
　ことを特徴とする画像形成システム。
（相違点１０−１）
　「印刷対象データ」及び「変換処理後データ」について、本件発明１０は「画像データ」及び「画像データから画像サイズが変換された変換データ」であるのに対して、甲１発明１は「特定の複合機に依存しない中間形式の印刷ジョブ」及び「複合機が印刷可能な形式のＰＤＬジョブ」である点。
（相違点１０−２）
　「変換条件」について、本件発明１０では、「画像データの画像サイズを変換させる条件である変換条件」であるのに対して、甲１発明１は、画像サイズを変換させる条件であるか特定がない点。
（相違点１０−３）
　「生成手段」について、上記「印刷対象データ」、「変換処理後データ」及び「変換条件」の相違に伴って、本件発明１０では、「生成部」が「当該画像データから画像サイズが変換された変換データを生成する」構成であるのに対して、甲１発明１は、そのような構成を有していない点。
（相違点１０−４）
　「決定部」について、本件発明１０は画像形成装置が決定部を備え、前記決定部が決定した変換条件をサーバに送信する構成であるのに対して、甲１発明１はサーバが決定部を備える点。
５．１．２．２　判断
　本件発明１０と甲１発明１とは、上記のとおりの相違点を有するから、両者は同一であるとはいえない。
５．１．２．３　特許異議申立人の主張について
（１）特許異議申立人は、本件訂正２により訂正された事項について、平成３０年３月２２日付け意見書において、以下のとおり主張する。
ア　「甲１における図１３（ｂ）のようなページ集約に関する設定値を含むＸＭＬ形式の印刷設定情報が、訂正後の請求項１０に係る本件特許発明の「画像データの画像サイズを変換させる条件である変換条件」に相当することは明らかである。」（平成３０年３月２２日付け意見書、第６頁第１２〜１４行）
イ　「甲１には、（略）プリントサーバ１０１が、ページ集約の設定値を含むＸＭＬ形式の印刷設定情報にしたがい、画像サイズが変換されたＰＤＬを生成し、複合機１０２に送信することに相当することが開示されているといえる。」（同第７頁第１１〜１７行）
ウ　「なお、甲１には、図１６（ａ）を使ってカラーまたはモノクロを設定できることも記載されている。つまり、例えば、クライアントＰＣ１００が図４に示す（１−２）において送信した印刷ジョブがカラーのデータであっても、図１６（ａ）においてモノクロが設定されれば、プリントサーバ１０１が、モノクロを含むＸＭＬ形式の印刷設定情報にしたがい、画像サイズが変換されたＰＤＬを生成し、複合機１０２に送信することに相当することが開示されているともいえる。」（同第７頁第１８〜２３行）
（２）上記特許異議申立人の主張について検討する。
　上記５．１．１．３（２）と同じ理由により、特許異議申立人の主張を採用することはできない。
５．１．３　本件発明１１〜１２、１８、２１について
　本件の特許請求の範囲の請求項１１〜１２、１８、２１は、直接又は間接的に請求項９又は１０を引用しているから、本件発明１１〜１２、１８、２１は、上記５．１．１．１（１０）又は上記５．１．２．１（３）に記載したとおりの甲１発明１との相違点を有している。
　よって、本件発明１１〜１２、１８、２１は、本件発明９及び本件発明１０と同様に、甲１発明１と相違点を有し、自明のものであるともいえないから、両者は同一であるとはいえない。
５．１．４　本件発明１６について
５．１．４．１　甲１発明２との対比
　本件発明１６と甲１発明２とを対比すると、以下のとおりである。
（１）「画像形成装置」、「サーバ」
　上記５．１．１．１（１）と同じ理由により、構成２ａの「複合機」及び「プリントサーバ」は、構成１６Ａの「画像形成装置」及び「サーバ」に相当する。
（２）「受信部」、「印刷部」、「制御部」及び「入力部」
　上記５．１．１．１（８）と同じ理由により、構成２ｄの「ネットワークインタフェース」、構成２ｅの「プリンタ」及び構成２ｃの「操作部」は、各々構成１６Ｂの「受信部」、構成１６Ｃの「印刷部」及び構成１６Ｅの「入力部」に相当する。
　また、構成２ｂの「ＣＰＵ」は、システム全体を制御するから、構成１６Ｄの「制御部」に相当する。
（３）上記５．１．１．１（２）〜（４）と同じ一致点及び相違点を有する。
（４）「制御部」の「決定処理」
　上記５．１．１．１（５）と同じ理由により、プリントサーバの実行する構成２ｋの「変更する処理」は、構成２ｌの印刷処理に用いられる印刷設定情報を決定する「決定処理」を実行するといえる。
　よって、上記「変換条件」の相違を除いて、本件発明１６は画像形成装置の制御部が「自装置が有する特有情報であって、前記入力部によって入力された印刷設定が含まれる前記特有情報に基づいて、前記サーバにて前記選択処理によって選択された画像データを変換させる条件である変換条件を決定する決定処理」と「前記決定処理によって決定された前記変換条件とを、前記サーバに送信する要求送信処理」を実行するのに対して、甲１発明２は、サーバが「決定処理」を実行する点で相違する。
（５）「制御部」の「選択処理」及び「要求送信処理」
　上記５．１．１．１（８）と同じ理由により、上記（４）の相違を除き、構成２ｆの「印刷ジョブの選択及び印刷指示をユーザから受け付ける処理」及び構成２ｈの「印刷指示を行う処理」は、構成１６Ｆの「選択処理」及び構成１６Ｈの「要求送信処理」に相当する。
（６）「制御部」の「印刷処理」
　構成２ｉの複合機のＣＰＵが実行する「プリンタへプリント動作の起動を指示する処理」は、印刷部に印刷を行わせる印刷処理といえる。
（７）一致点、相違点
　以上によると、一致点、相違点は次のとおりである。
（一致点）
　サーバと通信を行う画像形成装置において、
　変換処理後データを受信する受信部と、
　印刷を行う印刷部と、
　制御部と、
　印刷設定を入力する入力部と、を備え、
　前記制御部は、
　前記サーバに記憶されている印刷対象データのうち、印刷対象の印刷対象データの選択を受け付ける選択処理と、
　前記選択処理によって選択された印刷対象データの送信を要求する送信要求を、前記サーバに送信する要求送信処理と、
　変換条件に従って前記サーバによって変換され、前記要求送信処理に応じて前記受信部が前記サーバから受信した印刷対象データである変換処理後データに基づいて、前記印刷部に印刷を行わせる印刷処理と、
　を実行することを特徴とする画像形成装置。
（相違点１６−１）
　「印刷対象データ」及び「変換処理後データ」について、本件発明１６は「画像データ」及び「画像データから画像サイズが変換された変換データ」であるのに対して、甲１発明２は「特定の複合機に依存しない中間形式の印刷ジョブ」及び「複合機が印刷可能な形式のＰＤＬジョブ」である点。
（相違点１６−２）
　「変換条件」について、本件発明１６では、「画像データの画像サイズを変換させる条件である変換条件」であるのに対して、甲１発明２は、画像サイズを変換させる条件であるか特定がない点。
（相違点１６−３）
　本件発明１６は画像形成装置の制御部が「自装置が有する特有情報であって、前記入力部によって入力された印刷設定が含まれる前記特有情報に基づいて、前記サーバにて前記選択処理によって選択された画像データを変換させる条件である変換条件を決定する決定処理」と「前記決定処理によって決定された前記変換条件とを、前記サーバに送信する要求送信処理」を実行するのに対して、甲１発明２は、サーバが「決定処理」を実行する点。
５．１．４．２　判断
　本件発明１６と甲１発明２とは、上記のとおりの相違点を有するから、両者は同一であるとはいえない。
５．１．４．３　特許異議申立人の主張について
（１）特許異議申立人は、本件訂正１６により訂正された事項について、平成３０年３月２２日付け意見書において、以下のとおり主張する。
「甲１には、複合機１０２が、図１６（ａ）を使って入力された設定値（訂正後の請求項１６に係る本件特許発明の「入力部」に相当）を含む“モデル名および図１６（ａ）を使って設定された設定値”（訂正後の請求項１６に係る本件特許発明の「前記画像形成装置が有する前記特有情報」に相当）に基づき、画像データの画像サイズを変換させる変換条件としてページ集約の設定値を含むＸＭＬ形式の印刷設定情報（訂正後の請求項１６に係る本件特許発明の「画像サイズを変換させる条件である変換条件」に相当）を決定し、プリントサーバ１０１がページ集約の設定値を含むＸＭＬ形式の印刷設定情報にしたがい、画像サイズが変換されたＰＤＬを生成し、複合機１０２が当該ＰＤＬをプリントサーバ１０１から受信して印刷することに相当することが開示されているといえる。」（平成３０年３月２２日付け意見書、第８頁第９〜１８行）
（２）上記特許異議申立人の主張について検討する。
　上記５．１．１．３（２）と同じ理由により、特許異議申立人の主張を採用することはできない。
５．１．５　本件発明１７について
５．１．５．１　甲１発明３との対比
　本件発明１７と甲１発明３とを対比すると、以下のとおりである。
（１）「画像形成装置」、「サーバ」
　上記５．１．１．１（１）と同じ理由により、構成３ａの「複合機」及び「プリントサーバ」は、構成１７Ａの「画像形成装置」及び「サーバ」に相当する。
（２）「送信部」、「制御部」
　上記５．１．１．１（７）と同じ理由により、構成３ｂの「通信Ｉ／Ｆコントローラは、構成１７Ｂの「送信部」に相当する。
　また、構成３ｃの「ＣＰＵ」は、各デバイスやコントローラを統括的に制御するから、構成１７Ｃの「制御部」に相当する。
（３）上記５．１．１．１（２）〜（４）と同じ一致点及び相違点を有する。
（４）「制御部」の「決定処理」
　構成３ｅのプリントサーバのＣＰＵが実行する「前記ジョブ管理ＤＢに登録している前記印刷設定情報を前記受信した印刷設定情報に変更する処理」は、構成３ｆの印刷処理に用いられる印刷設定情報を決定しているといえる。
　よって、上記「変換条件」の相違を除いて、構成３ｅの処理は、印刷対象データを変換させる条件である「変換条件」を決定するから、構成１７Ｅの「決定処理」に相当する。
（５）「制御部」の「取得処理」及び「送信処理」
　構成３ｅの「印刷設定情報」は、複合機で入力された情報であって、印刷対象データである「特定の複合機に依存しない中間形式の印刷ジョブ」に対するＰＤＬ変換処理に用いられる情報である。
　よって、構成３ｅの「複合機から印刷設定情報（ＧＵＩＤ、部数、両面、カラーモード、ページ集約、複合機のモデル名）を受信」する処理は、構成１７Ｄの「取得処理」に相当する。
　また、上記５．１．１．１（７）と同じ理由により、構成３ｇの「複合機に前記ＰＤＬジョブを送信する処理」は、構成１７Ｇの「送信処理」に相当する。
（６）「制御部」の「生成処理」
　また、上記５．１．１．１（６）と同じ理由により、上記「印刷対象データ」、「変換処理後データ」及び「変換条件」の相違を除いて、本件発明１７のサーバの「生成処理」と、甲１発明３のプリントサーバの「プリンタドライバ」が実行する「印刷ジョブを前記複合機のモデル名の複合機が印刷可能な形式のＰＤＬジョブに変換するＰＤＬ変換処理」は、「印刷対象データから変換処理後データを生成する生成処理」である点で共通する。
　しかしながら、「生成処理」について、上記「印刷対象データ」、「変換処理後データ」及び「変換条件」の相違に伴って、本件発明１７は、「生成処理」が「画像データから画像サイズが変換された変換データを生成する生成処理」であるのに対して、甲１発明３はそのような処理を有していない点で相違する。
（７）一致点、相違点
　以上によると、一致点、相違点は次のとおりである。
（一致点）
　画像形成装置と通信を行うサーバにおいて、
　変換処理後データを送信する送信部と、
　制御部と、を備え、
　前記制御部は、
　前記画像形成装置が有する特有情報であって、前記画像形成装置に入力された印刷設定が含まれる前記特有情報を取得する取得処理と、
　前記取得処理にて取得された前記特有情報に基づいて、前記画像形成装置によって選択された印刷対象データを変換する条件である変換条件を決定する決定処理と、
　前記画像形成装置から送信が要求された印刷対象データを前記変換条件に従って変換し、当該印刷対象データから変換処理後データを生成する生成処理と、
　前記生成処理にて生成された変換処理後データを、前記送信部にて前記画像形成装置に送信する送信処理と、
　を実行することを特徴とするサーバ。
（相違点１７−１）
　「印刷対象データ」及び「変換処理後データ」について、本件発明１７は「画像データ」及び「画像データから画像サイズが変換された変換データ」であるのに対して、甲１発明３は「特定の複合機に依存しない中間形式の印刷ジョブ」及び「複合機が印刷可能な形式のＰＤＬジョブ」である点。
（相違点１７−２）
　「変換条件」について、本件発明１７は、「画像データの画像サイズを変換させる条件である変換条件」であるのに対して、甲１発明３は、画像サイズを変換させる条件であるか特定がない点。
（相違点１７−３）
　「生成処理」について、上記「印刷対象データ」、「変換処理後データ」及び「変換条件」の相違に伴って、本件発明１７では、「生成処理」が「画像データから画像サイズが変換された変換データを生成する生成処理」であるのに対して、甲１発明３は、そのような処理を有していない点。
５．１．５．２　判断
　本件発明１７と甲１発明３とは、上記のとおりの相違点を有するから、両者は同一であるとはいえない。
５．１．５．３　特許異議申立人の主張について
（１）特許異議申立人は、本件訂正１７により訂正された事項について、平成３０年３月２２日付け意見書において、以下のとおり主張する。
「甲１には、プリントサーバ１０１が、複合機１０２の図１６（ａ）を使って入力された印刷設定が含まれるＸＭＬ形式の印刷設定情報（訂正後の請求項１７に係る本件特許発明の「特有情報」に相当）に基づき、画像データの画像サイズを変換させる変換条件としてページ集約の設定値を含むＤＥＶＭＯＤＥ（訂正後の請求項１７に係る本件特許発明の「画像データの画像サイズを変換させる変換条件」に相当）を決定し、当該ページ集約の設定値を含むＤＥＶＭＯＤＥにしたがい、画像サイズが変更されたＰＤＬ（訂正後の請求項１７に係る本件特許発明の「変換データ」に相当）を生成し、複合機１０２に送信することに相当することが開示されているといえる。」（平成３０年３月２２日付け意見書、第９頁第６〜１４行）
（２）上記特許異議申立人の主張について検討する。
　上記５．１．１．３（２）と同じ理由により、特許異議申立人の主張を採用することはできない。
５．１．６　小括
　以上のとおりであるから、訂正後の請求項９〜１２、１６〜１８、２１に係る発明（本件発明９〜１２、１６〜１８、２１）は、甲第１号証に記載された発明ではない。
５．２　特許法第２９条第２項（進歩性）について
　訂正後の請求項９〜２４に係る発明（本件発明９〜２４）の進歩性について検討する。
５．２．１　本件発明９について
５．２．１．１　甲１発明１との対比
　本件発明９と甲１発明１とを対比すると、上記５．１．１．１（９）に記載したとおりの一致点、及び、相違点を有する。
５．２．１．２　判断
　相違点９−３について検討する。
　甲第１号証において、プリントサーバの生成手段である「プリンタドライバ」に関しては、ＰＤＬ変換処理が「画像データから画像サイズが変換された変換データを生成する」ことについては、記載も示唆もされていない。
　また、上記４．２〜４．１０のとおり、サーバと画像形成装置とがネットワークで接続されたネットワーク印刷システムにおいて、サーバの生成手段であるプリンタドライバが、「画像データの画像サイズを変換させる条件である変換条件」に従って、「画像データから画像サイズが変換された変換データを生成する」構成は、甲第２号証〜甲第１０号証のいずれにも記載されておらず、当該構成が当業者にとって周知技術であるともいえない。
　よって、甲１発明１において、「画像データから画像サイズが変換された変換データを生成する」構成とすることは、甲第２号証〜甲第１０号証の技術事項に基いて、容易に想到し得るものではない。
　したがって、本件発明９は、甲１発明１及び甲第２号証〜甲第１０号証の技術事項に基いて、当業者が容易に発明をすることができたものではない。
５．２．１．３　特許異議申立人の主張について
（１）特許異議申立人は、本件発明９の進歩性について、平成３０年３月２２日付け意見書において、以下のとおり主張する。
ア　「上記の３−２にて、甲１の段落０００５、００５１、００７５、００７６、００７７、００８１、００８２、００９２、００９３、図１３（ｂ）、図１６（ａ）を挙げて説明したように、「画像データの変換サイズを変換するための変換条件」および「変換条件にしたがって変換された変換データが画像データの画像サイズが変換されたもの」であることに関する記載が甲１にて示されている。」（平成３０年３月２２日付け意見書、第１０頁第１４〜１９行）
イ　「「画像データの変換サイズを変換するための変換条件」および「変換条件にしたがって変換された変換データが画像データの画像サイズが変換されたもの」は当該技術分野において周知技術である。」（同第１０頁第２１〜２３行）
（２）上記特許異議申立人の主張について検討する。
　上記５．１．１．３（２）と同じ理由により、特許異議申立人の主張を採用することはできない。
５．２．２　本件発明１０について
５．２．２．１　甲１発明１との対比
　本件発明１０と甲１発明１とを対比すると、上記５．１．２．１（３）に記載したとおりの一致点、及び、相違点を有する。
５．２．２．２　判断
　相違点１０−３について検討する。
　上記５．２．１．２と同様の理由により、本件発明１０は、甲１発明１及び、甲第２号証〜甲第１０号証の技術事項に基いて、当業者が容易に発明をすることができたものではない。
５．２．２．３　特許異議申立人の主張について
（１）特許異議申立人は、本件発明１０の進歩性について、平成３０年３月２２日付け意見書において、以下のとおり主張する。
ア　「上記３−２にて、甲１の段落０００５、００７５、００７６、００７７、００８１、００９２、００９３、図１３（ｂ）、図１６（ａ）を挙げて説明したように、「画像データの画像サイズを変換させる変換条件」および「画像データの画像サイズを前記変換条件に従って変換し」に関する記載が甲１にて示されている。」（平成３０年３月２２日付け意見書、第１３頁第２０〜２４行）
イ　「「画像データの画像サイズを変換させる変換条件」および「画像データの画像サイズを前記変換条件に従って変換し」は当該技術分野において周知技術である。」（同第１３頁第２６行〜第１４頁第２行）
（２）上記特許異議申立人の主張について検討する。
　上記５．１．１．３（２）と同じ理由により、特許異議申立人の主張を採用することはできない。
５．２．３　本件発明１１〜１５、１８〜２４について
　本件の特許請求の範囲の請求項１１〜１５、１８〜２４は、直接又は間接的に請求項９又は１０を引用しているから、本件発明１１〜１５、１８〜２４は、上記５．２．１．２又は上記５．２．２．２と同じ理由により、甲１発明１及び甲第２号証〜甲第１０号証の技術事項に基いて、当業者が容易に発明をすることができたものではない。
５．２．４　本件発明１６について
５．２．４．１　甲１発明２との対比
　本件発明１６と甲１発明２とを対比すると、上記５．１．４．１（７）に記載したとおりの一致点、及び、相違点を有する。
５．２．４．２　判断
　上記５．２．１．２と同様の理由により、本件発明１６は、甲１発明２及び甲第２号証〜甲第１０号証の技術事項に基いて、当業者が容易に発明をすることができたものではない。
５．２．５　本件発明１７について
５．２．５．１　甲１発明３との対比
　本件発明１７と甲１発明３とを対比すると、上記５．１．５．１（７）に記載したとおりの一致点、及び、相違点を有する。
５．２．５．２　判断
　相違点１７−３について検討する。
　上記５．２．１．２と同様の理由により、本件発明１７は、甲１発明３及び甲第２号証〜甲第１０号証の技術事項に基いて、当業者が容易に発明をすることができたものではない。
５．２．６　小括
　以上のとおりであるから、訂正後の請求項９〜２４に係る発明（本件発明９〜２４）は、甲第１号証に記載された発明及び甲第２号証〜甲第１０号証の技術事項に基いて、当業者が容易に発明をすることができたものではない。
第５　むすび
　以上のとおりであるから、本件訂正請求により訂正された訂正後の請求項９〜２４に係る特許は、取消理由通知に記載した取消理由及び特許異議申立書に記載された特許異議申立理由によっては、取り消すことができない。
　また、他に本件訂正請求により訂正された訂正後の請求項９〜２４に係る特許を取り消すべき理由を発見しない。
　さらに、請求項１〜８に係る特許は、訂正により削除されたため、本件特許の請求項１〜８に対して、特許異議申立人がした特許異議の申立てについては、対象となる請求項が存在しない。
　よって、結論のとおり決定する。
【異議決定日】
平成３０年８月３０日（２０１８．８．３０）
【訂正の要旨】
審決（決定）の【理由】欄参照。
（５７）【特許請求の範囲】
　【請求項１】
　
（削除）
　【請求項２】
　
（削除）
　【請求項３】
　
（削除）
　【請求項４】
　
（削除）
　【請求項５】
　
（削除）
　【請求項６】
　
（削除）
　【請求項７】
　
（削除）
　【請求項８】
　
（削除）
　【請求項９】
　
画像形成装置と，前記画像形成装置と通信を行うサーバとを備える画像形成システムにおいて，
　
前記画像形成装置は，
　
前記サーバに記憶されている画像データのうち，印刷対象の画像データの選択を受け付ける選択部と，
　
前記選択部によって選択された画像データの送信を前記サーバに要求する要求部と，
　
前記選択部によって選択された画像データの画像サイズを変換させる条件である変換条件に従って前記サーバによって変換された画像データである変換データを，前記サーバから受信する受信部と，
　
前記受信部にて受信した変換データを記憶する記憶部と，
　
前記記憶部に記憶された変換データに基づいて印刷を行う印刷部と，
　
印刷設定を入力する入力部と，を備え，
　
前記印刷設定を含む特有情報を前記サーバに送信し，
　
前記サーバは，
　
前記画像形成装置が有する前記特有情報であって，前記入力部によって入力された前記印刷設定が含まれる前記特有情報に基づいて，前記変換条件を決定する決定部と，
　
前記要求部によって送信が要求された画像データを前記変換条件に従って変換し，当該画像データから画像サイズが変換された変換データを生成する生成部と，
　
前記生成部が生成した変換データを，前記画像形成装置に送信する送信部と，
　
を備え，
ことを特徴とする画像形成システム。
　【請求項１０】
　
画像形成装置と，前記画像形成装置と通信を行うサーバとを備える画像形成システムにおいて，
　
前記画像形成装置は，
　
前記サーバに記憶されている画像データのうち，印刷対象の画像データの撰択を受け付ける選択部と，
　
前記選択部によって選択された画像データの送信を前記サーバに要求する要求部と，
　
前記選択部によって選択された画像データの画像サイズを変換させる条件である変換条件に従って前記サーバによって変換された画像データである変換データを，前記サーバから受信する受信部と，
　
前記受信部にて受信した変換データを記憶する記憶部と，
　
前記記憶部に記憶された変換データに基づいて印刷を行う印刷部と，
　
印刷設定を入力する入力部と，
　
前記画像形成装置が有する特有情報であって，前記入力部によって入力された印刷設定が含まれる前記特有情報に基づいて，前記変換条件を決定する決定部と，を備え，
　
決定した前記変換条件を前記サーバに送信し，
　
前記サーバは，
　
前記要求部によって送信が要求された画像データの画像サイズを前記変換条件に従って変換し，当該画像データから変換データを生成する生成部と，
　
前記生成部が生成した変換データを，前記画像形成装置に送信する送信部と，
　
を備える，
ことを特徴とする画像形成システム。
　【請求項１１】
請求項
９または請求項１０
　前記画像形成装置は，
　前記サーバにファイルリスト要求を送信し，
　前記サーバからファイルリストを受信し，
　受信した前記ファイルリストに基づいて，印刷対象の画像データの選択を前記選択部にて受け付ける，
ことを特徴とする画像形成システム。
　【請求項１２】
請求項
９
　前記変換条件には，前記変換データの画像サイズと，印刷設定の色指定と，が含まれる，ことを特徴とする画像形成システム。
　【請求項１３】
請求項
９
　前記変換条件には，前記変換データの画像サイズが含まれ，
　前記決定部は，前記画像サイズを，前記印刷設定に含まれる解像度が低いほど小さいサイズに決定する，
ことを特徴とする画像形成システム。
　【請求項１４】
請求項
９
　前記変換条件には，前記変換データの画像サイズが含まれ，
　前記決定部は，前記印刷設定の色指定がモノクロの場合には，色指定がカラーの場合に比較して，前記画像サイズを小さいサイズに決定する，
ことを特徴とする画像形成システム。
　【請求項１５】
請求項
９
　前記変換条件には，前記変換データの画像サイズが含まれ，
　前記決定部は，前記画像サイズを，前記印刷設定に含まれる用紙サイズが小さいほど小さいサイズに決定する，
ことを特徴とする画像形成システム。
　【請求項１６】
　サーバと通信を行う画像形成装置において，
　画像データを受信する受信部と，
　印刷を行う印刷部と，
　制御部と，
　印刷設定を入力する入力部と，
を備え，
　前記制御部は，
　前記サーバに記憶されている画像データのうち，印刷対象の画像データの選択を受け付ける選択処理と，
　自装置が有する特有情報であって，前記入力部によって入力された印刷設定が含まれる前記特有情報に基づいて，前記サーバにて前記選択処理によって選択された画像データ
の画像サイズを
　前記選択処理によって選択された画像データの送信を要求する送信要求と，前記決定処理によって決定された前記変換条件とを，前記サーバに送信する要求送信処理と，
　前記変換条件に従って前記サーバによって変換され，前記要求送信処理に応じて前記受信部が前記サーバから受信した画像データである変換データに基づいて，前記印刷部に印刷を行わせる印刷処理と，
　を実行することを特徴とする画像形成装置。
　【請求項１７】
　画像形成装置と通信を行うサーバにおいて，
　画像データを送信する送信部と，
　制御部と，
を備え，
　前記制御部は，
　前記画像形成装置が有する特有情報であって，前記画像形成装置に入力された印刷設定が含まれる前記特有情報を取得する取得処理と，
　前記取得処理にて取得された前記特有情報に基づいて，前記画像形成装置によって選択された画像データ
の画像サイズを
　前記画像形成装置から送信が要求された画像データを前記変換条件に従って変換し，当該画像データから変換データを生成する生成処理と，
　前記生成処理にて生成された変換データを，前記送信部にて前記画像形成装置に送信する送信処理と，
　を実行することを特徴とするサーバ。
　【請求項１８】
請求項９から請求項１５までのいずれか１つに記載する画像形成システムにおいて，
　
前記印刷設定には，画質情報が含まれることを特徴とする画像形成システム。
　【請求項１９】
請求項９から請求項１５、請求項１８のいずれか１つに記載する画像形成システムにおいて，
　
前記入力部は，前記記憶部の空き容量に基づいて，入力される印刷設定の範囲を制限することを特徴とする画像形成システム。
　【請求項２０】
請求項９から請求項１５、請求項１８、請求項１９のいずれか１つに記載する画像形成システムにおいて，
　
前記入力部は，前記印刷部のカラー画像の形成能力に基づいて，入力される印刷設定の範囲を制限することを特徴とする画像形成システム。
　【請求項２１】
請求項９から請求項１５および請求項１８から請求項２０のいずれか１つに記載する画像形成システムにおいて，
　
前記特有情報には，前記画像形成装置の能力に関する情報が含まれることを特徴とする画像形成システム。
　【請求項２２】
請求項２１に記載する画像形成システムにおいて，
　
前記画像形成装置の能力に関する情報には，前記記憶部の空き容量が含まれることを特徴とする画像形成システム。
　【請求項２３】
請求項２１または請求項２２に記載する画像形成システムにおいて，
　
前記画像形成装置の能力に関する情報には，前記印刷部のカラー画像の形成能力に関する情報が含まれることを特徴とする画像形成システム。
　【請求項２４】
請求項９から請求項１５および請求項１８から請求項２３のいずれか１つに記載する画像形成システムにおいて，
　
前記決定部は，前記画像形成装置が有する前記特有情報に加え，前記サーバの画像データの変換能力に関する情報に基づいて，前記変換条件を決定することを特徴とする画像形成システム。